(57)【特許請求の範囲】
【請求項１】
伝送要求への承認を発行するかどうか、または現在の伝送レートを調整するかどうかを判断するスケジューラと、ここで、前記判断は、少なくとも１つ以上のチャネル条件に基づく、
確認応答を表す第１の表示および第２の表示を備える第１のメッセージを生成し、ここで、前記第２の表示は、前記スケジューラが前記伝送要求への承認を発行するように選択するとき、承認表示を備え、前記第２の表示は、前記スケジューラが前記現在の伝送レートを調整するように選択するとき、代わりにデータレート制御表示を備える、
前記第２の表示がデータレート制御表示を備えるとき、第２のメッセージを生成する
メッセージ生成器と
を備える装置。
【請求項２】
前記データレート制御表示が、レート制御コマンドである請求項１記載の装置。
【請求項３】
前記レート制御コマンドが、レート増加を示す請求項２記載の装置。
【請求項４】
前記レート制御コマンドが、レート低減を示す請求項２記載の装置。
【請求項５】
前記レート制御コマンドが、レート保持を示す請求項２記載の装置。
【請求項６】
パケットを受信する受信機と、
前記受信されたパケットを復号する復号器と、
伝送要求への承認を発行すること、または現在の伝送レートを調整することから選択するスケジューラと、
確認応答または否定の確認応答のうちの１つと関係付けられる第１の値および第２の値を備える第１の信号を生成し、ここで、前記第２の値は、前記スケジューラが承認を発行するように選択するとき、承認表示と関係付けられ、前記第２の値は、前記スケジューラが現在の伝送レートを調整するように選択するとき、代わりにレート制御表示と関係付けられる、
前記第１の信号の前記第２の値が、レート制御表示と関係付けられるとき、レート制御コマンドに対応して、少なくとも１つの値を備える第２の信号を条件付きで生成する
メッセージ生成器と
を備える装置。
【請求項７】
前記第１の信号が前記レート制御表示を含むとき、前記第１の信号を伝送し、前記第２の信号を条件付きで伝送する送信機をさらに備える請求項６記載の装置。
【請求項８】
前記受信機が１つ以上の伝送要求および１つ以上の自律伝送を受信し、前記スケジューラが前記１つ以上の伝送要求および前記１つ以上の自律伝送に応答して、共有資源を割り振る請求項６記載の装置。
【請求項９】
肯定または否定の確認応答のうちの１つを備える第１の表示、および承認表示またはデータレート制御表示のうちの１つを表す第２の表示を含む第１の信号を監視する受信機と、ここで、前記受信機は、前記第２の表示がデータレート制御表示を表すとき、レート制御コマンドを含む第２の信号を条件付きで監視する、
前記第１の信号から前記第２の表示を復号し、前記第２の信号から前記レート制御コマンドを復号するメッセージ復号器と
を備える装置。
【請求項１０】
前記レート制御コマンドが、複数の値の１つであり、前記複数の値の１つ以上が、レート増加を示す請求項９記載の装置。
【請求項１１】
前記レート制御コマンドが、複数の値の１つであり、前記複数の値の１つ以上が、レート低減を示す請求項９記載の装置。
【請求項１２】
前記レート制御コマンドが、複数の値の１つであり、前記複数の値の１つ以上が、レート保持を示す請求項９記載の装置。
【請求項１３】
パケットを伝送する送信機をさらに備える請求項９記載の装置。
【請求項１４】
前記第１の信号が、前記伝送されたパケットが確認応答されていないことを示すとき、前記送信機が前記パケットを再送する請求項１３記載の装置。
【請求項１５】
前記第２の信号が、レート制御コマンドを備え、前記送信機が、レート制御コマンドにしたがって判断されたレートで第２のパケットを伝送する請求項１３記載の装置。
【請求項１６】
伝送要求への承認を発行するかどうか、または現在の伝送レートを調整するかどうかを判断するスケジューラと、ここで、前記判断は、少なくともチャネル条件に基づく、
確認応答を表す第１の表示および第２の表示を備える第１のメッセージを生成し、ここで、前記第２の表示は、前記スケジューラが前記伝送要求への承認を発行するように選択するとき、承認表示を備え、前記第２の表示は、前記スケジューラが前記現在の伝送レートを調整するように選択するとき、代わりにデータレート表示を備える、
前記第２の表示がデータレート制御表示を備えるとき、レート制御コマンドを備える第２のメッセージを生成する
メッセージ生成器と
を備える基地局。
【請求項１７】
確認応答を表す第１の表示、および承認表示またはデータレート制御表示のうちの１つを表す第２の表示を含む第１の信号を受信する受信機と、ここで、前記受信機は、前記第２の表示がデータレート制御表示を表すとき、レート制御コマンドを含む第２の信号を条件付きで受信する、
前記受信された第１の信号から前記第２の表示を復号し、前記受信された第２の信号から前記レート制御コマンドを復号するメッセージ復号器と
を備える遠隔局。
【請求項１８】
伝送要求への承認を発行するかどうか、または現在の伝送レートを調整するかどうかを判断するスケジューラと、ここで、前記判断は、少なくとも現在のチャネル条件に基づく、
確認応答を表す第１の表示および第２の表示を備える第１のメッセージを生成し、ここで、前記第２の表示は、前記スケジューラが前記伝送要求への承認を発行するように選択するとき、承認表示を備え、前記第２の表示は、前記スケジューラが現在の伝送レートを調整するように選択するとき、代わりにデータレート制御表示を備える、
前記第２の表示がデータレート制御表示を備えるとき、レート制御コマンドを備える第２のメッセージを生成する
メッセージ生成器と
を備える基地局を含む無線通信システム。
【請求項１９】
肯定または否定の確認応答のうちの１つを表す第１の表示を備え、さらに承認表示またはデータレート制御表示のうちの１つを表す第２の表示を備える第１の信号を監視する受信機と、ここで、前記受信機は、前記第２の表示がデータレート制御表示を表すときにのみ、レート制御コマンドを含む第２の信号を条件付きで監視する、
前記受信された第１の信号から前記第２の表示を復号し、前記受信された第２の信号から前記レート制御コマンドを復号するメッセージ復号器と
を備える、遠隔局を含む無線通信システム。
【請求項２０】
伝送要求への承認を発行するかどうか、または現在の伝送レートを調整するかどうかを判断することと、
確認応答または否定の確認応答のうちの１つを表す第１の値を備え、さらに第２の値を備える第１の信号を生成することと、ここで、前記第２の値は、それが承認を発行するように判断されるとき、承認表示と関係付けられ、前記第２の値は、それが現在の伝送レートを調整するように判断されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成することと
を行なうメモリに記憶された命令を実行するプロセッサを用いることを備えるレート制御方法。
【請求項２１】
パケットを受信することと、
前記パケットを復号することと、
伝送要求に応答して承認を発行するかどうか、または現在の伝送レートを調整するかどうかを判断することと、
前記受信されたパケットが正確に復号されたかどうかを示す第１の信号を生成することと、ここで、前記第１の信号は、前記判断に基づいて承認表示またはレート制御表示のうちの１つをさらに含む、
前記第１の信号が、レート制御表示を含むとき、レート制御コマンドを備える第２の信号を生成することと
を行なうメモリに記憶された命令を実行するプロセッサを採用することを備えるレート制御方法。
【請求項２２】
前記第１の信号が、正確な復号の確認応答と、レート制御コマンドがないこととを示す１つ以上の値を備える請求項２１記載の方法。
【請求項２３】
正確な復号の確認応答と、レート制御コマンドがないこととを示す前記１つ以上の値が、先の承認を無効にする請求項２２記載の方法。
【請求項２４】
前記第１の信号が、正確な復号の確認応答と、レート制御コマンドを示す１つ以上の値を備える請求項２１記載の方法。
【請求項２５】
前記第１の信号が、前記復号されたパケットの否定の確認応答と、レート制御コマンドがないこととに対応して、伝送がないことを示す値を備える請求項２１記載の方法。
【請求項２６】
前記レート制御コマンドが、レート増加を示す請求項２１記載の方法。
【請求項２７】
前記レート制御コマンドが、レート低減を示す請求項２１記載の方法。
【請求項２８】
前記レート制御コマンドが、レート保持を示す請求項２１記載の方法。
【請求項２９】
前記第２の信号が、レート保持の伝送がないことを示す値を備える請求項２８記載の方法。
【請求項３０】
１つ以上の伝送要求を受信することと、
１つ以上の自律伝送を受信することと、
前記１つ以上の伝送要求および前記１つ以上の自律伝送に応答して、共有資源を割り振ることと
をさらに備える請求項２１記載の方法。
【請求項３１】
受信された伝送要求に応答して、前記第１の信号における前記承認表示を含むことをさらに備える請求項２１記載の方法。
【請求項３２】
前記承認表示が前記第１の信号に含まれるとき、前記第２の信号が生成されない請求項３１記載の方法。
【請求項３３】
前記第１の信号を伝送することと、
前記レート制御表示が発行されるときにのみ、前記第２の信号を条件付きで伝送することと
をさらに備える請求項２１記載の方法。
【請求項３４】
前記受信されたパケットが、サブパケットである請求項２１記載の方法。
【請求項３５】
以前に受信された対応するサブパケットに応答して、前記復号が行われる請求項３４記載の方法。
【請求項３６】
確認応答または否定の確認応答のうちの１つと関係付けられる第１の値を備え、さらに第２の値を備える第１の信号を受信することと、ここで、前記第２の値は、伝送要求承認が承認されるとき、承認表示と関係付けられ、前記第２の値は、現在の伝送レートが調整されるとき、代わりにデータレート制御表示と関係付けられる、
前記第１の受信された信号の前記第２の値がレート制御コマンドと関係付けられるとき、レート制御コマンドに対応して、少なくとも１つの値を備える第２の信号を条件付きで受信することと
を行なうメモリに記憶された命令を実行するプロセッサを採用することを備えるレート制御方法。
【請求項３７】
パケットを伝送することと、
前記伝送されたパケットが確認応答されたかどうか、およびレート制御コマンドが発行されることになるかどうか、または代わりに伝送要求が承認されることになるかどうかを示す第１の信号を受信することと、
レート制御コマンドが発行されることを前記第１の信号が示すときにのみ、前記レート制御コマンドを備える第２の信号を受信することと
を行なうメモリに記憶された命令を実行するプロセッサを採用することを備えるレート制御方法。
【請求項３８】
前記第１の信号が、正確な復号の確認応答と、レート制御コマンドがないこととを示す値を備える請求項３７記載の方法。
【請求項３９】
正確な復号の確認応答と、レート制御コマンドがないこととを示す前記値が、先の承認を無効にする請求項３８記載の方法。
【請求項４０】
前記第１の信号が、正確な復号の確認応答と、レート制御コマンドとを示す値を備える請求項３７記載の方法。
【請求項４１】
前記第１の信号が、復号されたパケットの否定の確認応答と、レート制御コマンドがないこととに対応して、伝送がないことを示す値を備える請求項３７記載の方法。
【請求項４２】
前記レート制御コマンドが、レート増加を示す請求項３７記載の方法。
【請求項４３】
前記レート制御コマンドが、レート低減を示す請求項３７記載の方法。
【請求項４４】
前記レート制御コマンドが、レート保持を示す請求項３７記載の方法。
【請求項４５】
前記第２の信号が、レート保持の伝送がないことを示す値を備える請求項４４記載の方法。
【請求項４６】
前記第１の受信された信号が、前記伝送されたパケットが確認応答されなかったことを示すとき、前記パケットを再送することをさらに備える請求項３７記載の方法。
【請求項４７】
前記第１の受信された信号が、前記伝送されたパケットが確認応答されたことを示すとき、第２のパケットを伝送することをさらに備える請求項３７記載の方法。
【請求項４８】
レート制御コマンドが、前記第２の信号上で受信されるとき、前記第２のパケットが、前記レート制御コマンドにしたがって判断されるレートで伝送される請求項３７記載の方法。
【請求項４９】
前記伝送されたパケットが、サブパケットである請求項３７記載の方法。
【請求項５０】
伝送要求への承認を発行するかどうか、または現在の伝送レートを調整するかどうかを判断する手段と、
確認応答または否定の確認応答のうちの１つと関係付けられた第１の値を備え、さらに第２の値を備える第１の信号を生成する手段と、ここで、前記第２の値は、それが承認を発行するように判断されるとき、承認表示と関係付けられ、前記第２の値は、それが現在の伝送レートを調整するように判断されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成する手段と
を備える装置。
【請求項５１】
パケットを受信する手段と、
前記パケットを復号する手段と、
伝送要求への承認を発行するかどうか、または現在の伝送レートを調整するかどうかを判断する手段と、
前記受信されたパケットが正確に復号されたかどうかを示し、レート制御コマンドが発行されることになるかどうか、または代わりに伝送要求が承認されることになるかどうかをさらに示す第１の信号を生成する手段と、
前記第１の信号は、レート制御コマンドが発行されることを示すときにのみ、前記レート制御コマンドを備える第２の信号を生成する手段と
を備えるレート制御方法。
【請求項５２】
確認応答または否定の確認応答のうちの１つと関係付けられる第１の値を備え、さらに第２の値を備える第１の信号を受信する手段と、ここで、前記第２の値は、伝送要求が承認されるとき、承認表示と関係付けられ、前記第２の値は、現在の伝送レートが調整されるとき、代わりにレート制御表示と関係付けられる、
前記第１の受信された信号の前記第２の値がレート制御表示と関係付けられるとき、制御コマンドに対応して、少なくとも１つの値を備える第２の信号を条件付きで受信する手段と
を備えるレート制御方法。
【請求項５３】
パケットを伝送する手段と、
前記伝送されたパケットが確認応答されたかどうかを示し、レート制御コマンドが発行されることになるかどうか、または代わりに伝送要求が承認されることになるかどうかをさらに示す第１の信号を受信する手段と、
前記第１の信号は、レート制御コマンドが発行されることを示すときにのみ、前記レート制御コマンドを備える第２の信号を受信する手段と
を備えるレート制御方法。
【請求項５４】
伝送要求への承認を発行するかどうか、または現在の伝送レートを調整するかどうかを判断する手段と、
確認応答または否定の確認応答のうちの１つと関係付けられる第１の値を備え、さらに第２の値を備える第１の信号を生成する手段と、ここで、第２の値は、それが承認を発行するように決定されるとき、承認表示と関係付けられ、前記第２の値は、それが現在の伝送レートを調整するように決定されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成する手段と
を備える、無線通信システム。
【請求項５５】
確認応答または否定の確認応答のうちの１つと関係付けられる第１の値を備え、さらに第２の値を備える第１の信号を受信する手段と、ここで、前記第２の値は、伝送要求が承認されるとき、承認表示と関係付けられ、前記第２の値は、現在の伝送レートが調整されるとき、代わりにデータレート制御表示に関係付けられる、
前記第１の受信された信号の前記第２の値がレート制御表示と関係付けられるとき、レート制御コマンドに対応して、少なくとも１つの値を備える第２の信号を条件付きで受信する手段とを備える無線通信システム。
【請求項５６】
伝送要求への承認を発行するかどうか、または現在の伝送レートを調整するかどうかを判断することと、
確認応答または否定の確認応答のうちの１つと関係付けられる第１の値を備え、さらに第２の値を備える第１の信号を生成することと、ここで、第２の値は、それが承認を発行するように決定されるとき、承認表示と関係付けられ、前記第２の値は、それが現在の伝送レートを調整するように決定されるとき、代わりにレート制御表示と関係付けられる、
前記第１の信号の前記第２の値がレート制御表示と関係付けられるとき、レート制御コマンドに対応して、少なくとも１つの値を備える第２の信号を条件付きで生成することと
をコンピュータによって実行させる命令を備えるコンピュータプログラム。
【請求項５７】
パケットを受信することと、
前記パケットを復号することと、
伝送要求への承認を発行するかどうか、または代わりに現在の伝送レートを調整するかどうかを判断することと、
前記受信されたパケットが正確に復号されたかどうかを示し、レート制御コマンドが発行されることになるかどうか、または代わりに伝送要求が承認されることになるかどうかをさらに示す第１の信号を生成することと、
前記第１の信号は、レート制御コマンドが発行されることを示すときにのみ、レート制御コマンドを備える第２の信号を生成することと
をコンピュータによって実行させる命令を備えるコンピュータプログラム。
【請求項５８】
確認応答または否定の確認応答のうちの１つと関係付けられる第１の値を備え、さらに第２の値を備える第１の信号を受信することと、ここで、第２の値は、伝送要求が承認されるとき、承認表示と関係付けられ、前記第２の値は、現在の伝送レートが調整されるとき、代わりにデータレート制御表示と関係付けられる、
前記第１の受信された信号の前記第２の値がレート制御表示と関係付けられるとき、レート制御コマンドに対応して、少なくとも１つの値を備える第２の信号を条件付きで受信することと
をコンピュータによって実行させる命令を備えるコンピュータプログラム。
【請求項５９】
パケットを伝送することと、
前記伝送されたパケットが確認応答されたかどうかを示し、レート制御コマンドが発行されることになるかどうか、または代わりに伝送要求が承認されることになるかどうかをさらに示す第１の信号を監視することと、
前記第１の信号は、レート制御コマンドが発行されることになることを示すときにのみ、前記レート制御コマンドを備える第２の信号を監視することと
をコンピュータによって実行させる命令を備えるコンピュータプログラム。
【発明の詳細な説明】
【技術分野】
【０００１】
米国特許法第３５条のもとでの優先権の主張
本特許出願は、２００３年８月５に出願された仮出願第６０／４９３，０４６号（“ Reverse Link Rate Control for CDMA2000 Rev D”）、および２００３年８月１８日に出願された仮出願第６０／４９６，２９７号（“Reverse Link Rate Control for CDMA2000 Rev D”）に対して優先権を主張している。
【０００２】
分野
本発明は、概ね、無線通信、とくに、承認、確認応答、およびレート制御チャネルのアクティブな組に関する。
【背景技術】
【０００３】
無線通信システムは、音声およびデータのような、種々のタイプの通信を提供するために広く展開されている。一般的な無線データシステム、すなわちネットワークは、１つ以上の共有資源へ多数のユーザのアクセスを与える。システムは、周波数分割多元接続(Frequency Division Multiplexing Access, FDMA)、時分割多元接続(Time Division Multiplexing Access, TDMA)、符号分割多元接続（Code Division Multiplexing Access, CDMA）、等のような、種々の多元接続技術を使用し得る。
【０００４】
例示的な無線ネットワークは、セルラを用いたデータシステムを含む。次に示すものは、いくつかのこのような例であり、（１）“TIA/EIA-95-B Mobile Station-Base Station Compatibility Standard for Dual-Mode Wideband Spread Spectrum Cellular System” (ＩＳ−９５標準)、（２）“第三世代パートナーシッププロジェクト（3rd Generation Partnership Project, 3GPP）”という名称の協議会によって提供され、文書番号第３ＧＴＳ ２５．２１１号、第３Ｇ ＴＳ ２５．２１２号、第３Ｇ ＴＳ ２５．２１３号、および第３Ｇ ＴＳ ２５．２１４号(Ｗ−ＣＤＭＡ標準)を含む１組の文書において具体化されている標準、（３） “第三世代パートナーシッププロジェクト２（3rd Generation Partnership Project 2, 3GPP2）”という名称の協議会によって提供され、“TR-45.5 Physical Layer Standard for cdma2000 Spread Spectrum Systems”（ＩＳ−２０００標準）に具体化されている標準、（４）ＴＩＡ／ＥＩＡ／ＩＳ−８５６標準(ＩＳ−８５６標準)に準拠する高データレート(high data rate, HDR)システム、および（５）Ｃ．Ｓ０００１．ＣないしＣ．Ｓ０００６．Ｃを含むＩＳ−２０００標準の改訂Ｃがあり、関連する文書（後の改訂Ｄの提示案を含む）は、１ｘＥＶ−ＤＶの提案と呼ばれる。
【０００５】
例示的なシステムの、(現在、策定中の)ＩＳ−２０００標準の改訂Ｄでは、逆方向リンク上での移動局の伝送は、基地局によって制御される。基地局は、移動局が伝送することを許される最大レートまたはトラヒック対パイロット比（“Traffic-to-Pilot Ratio, TPR”）を決定し得る。現在、２つのタイプの管理機構、すなわち承認に基づくものと、レート制御に基づくものとが提案されている。
【０００６】
承認に基づく制御では、移動局は、移動局の伝送能力、データ緩衝サイズ、およびサービス品質(Quality of Service, QoS)レベル、等についての情報を基地局へフィードバックする。基地局は、複数の移動局からのフィードバックを監視し、何れが伝送を許されるか、および各々に許される対応する最大レートを決定する。これらの決定は、承認メッセージによって移動局に伝達される。
【０００７】
レート制御に基づく制御では、基地局は、移動局のレートを、制限された範囲(すなわち、１レートアップ（one rate up）、変更なし、または１レートダウン（one rate down）で調節する。調節コマンドは、単純な二値のレート制御ビットまたは多値表示を使用して、移動局へ伝えられる。
【０００８】
アクティブな移動局が大量のデータをもつ十分な緩衝条件の下では、承認に基づく技術およびレート制御技術は、ほぼ同じに働く。オーバーヘッドの問題を無視すると、実際のトラヒックモデルを用いた状況では、承認方法の方が、移動局をより良く制御でき得る。オーバーヘッドの問題を無視すると、承認方法の方が、異なるＱｏＳのストリームをより良く制御でき得る。レート制御は、２つのタイプ、すなわち全移動局に１ビットを与える専用レート制御のアプローチと、セクタごとに１ビットを使用する共通レート制御とに区別され得る。これらの２つの種々のハイブリッドが、多数の移動局にレート制御ビットを割り当て得る。共通レート制御のアプローチは、より少ないオーバーヘッドを要求し得る。しかしながら、これは、より専用の制御方式と対比されると、移動局に対してより少ない制御を与え得る。任意の一時点において伝送している移動局の数が低減すると、共通レート制御方法と専用レート制御とは、互いに近付く。
【０００９】
承認に基づく技術は、移動局の伝送レートを迅速に変更することができる。しかしながら、承認のみに基づく技術は、連続的なレート変化があるときは、オーバーヘッドが大きいという欠点をもち得る。同様に、レート制御のみの技術は、緩慢なランプアップ（ramp-up）時間と、ランプアップ時間中のオーバーヘッドが等しい、またはより大きいという欠点をもつ。
【発明の概要】
【００１０】
どちらのアプローチも、オーバーヘッドの低減も、大きいまたは迅速なレート調節も行わない。したがって、必要に応じて伝送レートを調節する能力をもつ、低減されたオーバーヘッドの制御が、当技術において必要とされている。
【００１１】
本明細書に開示されている実施形態は、必要に応じて伝送レートを調節する能力をもつ、低減されたオーバーヘッドの制御の、当技術における必要に対処している。１つの態様では、第１の信号は、復号されたサブパケットの確認応答と、レート制御コマンドが生成されるかどうかを示し、第２の信号は、それが生成されるとき、レート制御コマンドを条件付きで示す。別の態様では、承認は、確認応答と同時に生成され得る。さらに別の態様では、移動局は、第１の信号を監視し、第１の信号によって示されるように、第２の信号を条件付きで監視し、承認を含む第３の信号を監視し得る。さらに別の態様では、１つ以上の基地局が、種々の信号の１つ以上を伝送する。種々の他の態様も提示される。これらの態様は、承認に基づく制御の柔軟性を与え、一方でレート制御コマンドが使用されるときに、より小さいオーバーヘッドを利用し、したがって、システムの利用を増加し、容量およびスループットを増加する恩恵をもつ。
【図面の簡単な説明】
【００１２】
【図１】多数のユーザを支援することができる無線通信システムの全体的なブロック図。
【図２】データ通信に適応したシステムにおいて構成される例示的な移動局および基地局を示す図。
【図３】移動局または基地局のような無線通信デバイスのブロック図。
【図４】逆方向リンクデータ通信におけるデータおよび制御信号の例示的な実施形態を示す図。
【図５】例示的な確認応答チャネルを示す図。
【図６】例示的なレート制御チャネルを示す図。
【図７】１つ以上の移動局からの要求および伝送に応答して容量を割り振るための、基地局において展開可能な例示的な方法を示すフローチャート。
【図８】承認、確認応答、およびレート制御コマンドを生成する例示的な方法を示すフローチャート。
【図９】移動局が、承認、確認応答、およびレート制御コマンドを監視し、応答する例示的な方法を示すフローチャート。
【図１０】組み合された確認応答およびレート制御チャネルについての例示的な実施形態のタイミング図。
【図１１】組み合された確認応答およびレート制御チャネルに、新しい承認を加えたものについての例示的な実施形態のタイミング図。
【図１２】組み合された確認応答およびレート制御チャネルについての、承認のない、例示的な実施形態のタイミング図。
【発明を実施するための形態】
【００１３】
別途詳しく記載される例示的な実施形態は、通信システムにおいて通信される種々の確認応答メッセージに関係して、１つ以上のデータレートを適切に制御または調節することによって、通信システム内の１つ以上の移動局によって共有される資源のような、共有資源の割り振りを提供する。
【００１４】
本明細書では、承認チャネル、確認応答チャネル、およびレート制御チャネルの使用を組み合せて、承認に基づくスケジューリングとレート制御されるスケジューリングとの組み合せを与える技術、およびその恩恵が開示される。種々の実施形態は、次の恩恵、すなわち移動局の伝送レートの迅速な増加、移動局の伝送の迅速な停止、移動局のレートの低オーバーヘッドの調節、低オーバーヘッドの移動局の伝送の確認応答、全体的な低オーバーヘッド、および１つ以上の移動局からのストリームのサービス品質(ＱｏＳ)制御の１つ以上を可能にし得る。
【００１５】
本明細書に記載されている１つ以上の例示的な実施形態は、ディジタル無線データ通信システムの文脈において示される。この文脈内での使用は好都合であるが、本発明の異なる実施形態は、異なる環境または構成において取り入れられ得る。一般に、本明細書に記載されている種々のシステムは、ソフトウエア制御のプロセッサ、集積回路、またはディスクリートな論理を使用して形成され得る。本出願の全体にわたって参照され得るデータ、命令、コマンド、情報、信号、シンボル、およびチップは、電圧、電流、電磁波、磁界または磁性粒子、光学場または光学粒子、あるいはその組み合せよって都合良く表わされる。さらに加えて、各ブロック図内で示されているブロックは、ハードウエアまたは方法のステップを表し得る。
【００１６】
より具体的には、本発明の種々の実施形態は、電気通信工業会(Telecommunication Industry Association, TIA)および他の標準制定機構によって公表された種々の標準に概説され、開示されている通信標準にしたがって動作する無線通信システムに取り入れられ得る。このような標準は、ＴＩＡ／ＥＩＡ−９５、ＴＩＡ／ＥＩＡ−ＩＳ−２０００標準、ＩＭＴ−２０００標準、ＵＮＩＴＳおよびＷＣＤＭＡ（登録商標）標準、ＧＳＭ（登録商標）標準を含み、この全ては本明細書において参照によって取り入れられる。標準のコピーは、ＴＩＡのＳｔａｎｄａｒｄｓ  ａｎｄ  Ｔｅｃｈｎｏｌｏｇｙ  Ｄｅｐａｒａｔｍｅｎｔ(2500 Wilson Boulevard, Arlington, VA 22201, United States of America)に手紙を書くことにより入手され得る。ＵＭＴＳ標準として一般に識別され、本明細書において参照によって取り入れられた標準は、３ＧＰＰ Ｓｕｐｐｏｒｔ Ｏｆｆｉｃｅ(650 Route des Lucioles-Sophia Antipolis, Valbonne-France)に連絡をとることによって入手され得る。
【００１７】
図１は、1つ以上のＣＤＭＡ標準または設計、あるいはこの両者(例えば、Ｗ−ＣＤＭＡ標準、ＩＳ−９５標準、ｃｄｍａ２０００標準、ＨＤＲ仕様、１ｘＥＶ-ＤＶシステム)を支援するように設計され得る無線通信システム100の図である。別の実施形態では、システム100は、ＣＤＭＡシステム以外の何れかの無線標準または設計も付加的に支援し得る。例示的な実施形態では、システム100は１ｘＥＶ-ＤＶシステムである。
【００１８】
簡潔にするために、システム100は、３つの基地局104が２つの移動局106と通信していることを示している。基地局およびその受信可能領域は、しばしば、まとめて“セル”と呼ばれる。ＩＳ−９５、ｃｄｍａ２０００、または１ｘＥＶ-ＤＶシステムでは、例えば、セルは１つ以上のセクタを含み得る。Ｗ−ＣＤＭＡの仕様では、基地局の各セクタおよびセクタの受信可能領域は、セルと呼ばれる。本明細書において使用されているように、基地局（base station）という用語は、アクセスポイント（access point）またはノードＢ（Node B）と相互に交換可能なように使用されることができる。移動局（mobile station）という用語は、ユーザ装置(user equipment, UE)、加入者ユニット（subscriber unit）、加入者ステーション（subscriber station）、アクセス端末（access terminal）、遠隔端末（remote terminal）、または当技術において既知の他の対応する用語と交換可能なように使用されることができる。移動局という用語は、固定無線通信応用を含む。
【００１９】
実施されるＣＤＭＡシステムに依存して、各移動局106は、移動局がソフトハンドオフするかどうかに依存して、所与の瞬間において、順方向リンク上で１つの(または、恐らくは、より多くの)基地局104と通信し、逆方向リンク上で１つ以上の基地局と通信することができる。順方向リンク(すなわち、ダウンリンク)は、基地局から移動局への伝送を指し、逆方向リンク(すなわち、アップリンク)は、移動局から基地局への伝送を指す。
【００２０】
本明細書に記載されている種々の実施形態は、逆方向リンク信号か、または逆方向リンク伝送を支援する順方向リンク信号を与えることに関し、いくつかの実施形態は、逆方向リンク伝送の性質によく適し得るが、当業者には、移動局も、基地局も、本明細書に記載されているように、データを伝送するように装備されることができ、本発明の態様がそれらの状況にも当てはまることが分かるであろう。“例示的（exemplary）”という用語は、本明細書では、専ら、“例、事例、または実例として役立つこと”を意味するため使用されている。本明細書において“例示的”と記載されている何れの実施形態も、他の実施形態よりも好ましいまたは好都合であると必ずしも解釈されない。
【００２１】
１ｘＥＶ-ＤＶの順方向リンクのデータ伝送
１ｘＥＶ-ＤＶの提案に記載されているような、システム100は、一般に、４つのクラスの順方向リンクチャネル、すなわち、オーバーヘッドチャネル、動的に変わるＩＳ−９５およびＩＳ−２０００のチャネル、順方向パケットデータチャネル(Forward Packet Data Channel, F-PDCH)、並びにいくつかの予備のチャネルを含む。オーバーヘッドチャネルの割り当ては、ゆっくりと変わり、例えば、何か月も変わらないことがある。それらは、一般に、主要なネットワーク構成の変更があるときに変更される。動的に変わるＩＳ−９５およびＩＳ−２０００チャネルは、呼ごとに割り振られるか、あるいはＩＳ−９５、またはＩＳ−２０００ Ｒｅｌｅａｓｅ０ないしＢの音声およびパケットサービスに使用される。通常、オーバーヘッドチャネルおよび動的に変わるチャネルが割り当てられた後に残っている使用可能な基地局の電力は、残りのデータサービスのためにＦ−ＰＤＣＨに割り振られる。
【００２２】
Ｆ−ＰＤＣＨは、ＩＳ−８５６標準のトラヒックチャネルと同様に、一度に各セル内の１人または２人のユーザへデータを最高の支援可能なデータレートで送るのに使用される。ＩＳ−８５６では、移動局へデータを伝送するとき、基地局の全電力およびウォルシュ関数の全空間が使用可能である。しかしながら、１ｘＥＶ-ＤＶシステムでは、一部の基地局の電力およびウォルシュ関数の一部は、オーバーヘッドチャネルと、既存のＩＳ−９５およびｃｄｍａ２０００のサービスとに割り振られる。支援可能なデータレートは、主として、オーバーヘッド、ＩＳ−９５、およびＩＳ−２０００のチャネルのための電力およびウォルシュ符号が割り当てられた後の、使用可能な電力およびウォルシュ符号に依存する。Ｆ−ＰＤＣＨ上で伝送されるデータは、１つ以上のウォルシュ符号を使用して拡散される。
【００２３】
1ｘＥＶ-ＤＶシステムでは、基地局は、一般に、Ｆ−ＰＤＣＨ上で一度に１つの移動局へ伝送するが、多くのユーザは１つのセル内でパケットサービスを使用し得る。(２人のユーザへの伝送をスケジュールし、各ユーザに電力とウォルシュチャネルとを適切に割り振ることによって、２人のユーザに伝送することも可能である)。順方向リンク伝送では、移動局を、何れかのスケジューリングアルゴリズムに基づいて選択する。
【００２４】
ＩＳ−８５６または１ｘＥＶ-ＤＶに類似したシステムでは、スケジューリングは、サービスされている移動局からのチャネル品質のフィードバックに部分的に基づく。例えば、ＩＳ−８５６では、移動局は、順方向リンクの品質を推定し、現在の状況において支援できると予想される伝送レートを計算する。各移動局からの希望レートは、基地局へ伝送される。スケジューリングアルゴリズムは、例えば、共有される通信チャネルをより効率的に使用するために、比較的により高い伝送レートを支援する移動局を伝送のために選択する。別の例として、１ｘＥＶ-ＤＶシステムでは、各移動局は、逆方向チャネル品質表示チャネル(Reverse Channel Quality Indicator Channel, R-CQICH)上で、チャネル品質推定値として、搬送波対干渉(Carrier-to-Interference, C/I)推定値を伝送する。スケジューリングアルゴリズムは、伝送のために選択された移動局と、チャネル品質にしたがう適切なレートおよび伝送フォーマットとを判断するのに使用される。
【００２５】
既に記載したように、無線通信システム100は、ＩＳ−９５システムのように、多数のユーザが通信資源を同時に共有することを支援するか、ＩＳ−８５６システムのように、一度に１人のユーザへ通信資源全体を割り振るか、または通信資源を配分し、両者のタイプのアクセスを可能にし得る。１ｘＥＶ-ＤＶシステムは、通信資源を両者のタイプのアクセス間で分割するシステムの例であり、ユーザ要求にしたがって動的に配分を割り振る。例示的な順方向リンクの実施形態は、今記載した。種々の例示的な逆方向リンクの実施形態を、別途詳しく記載する。
【００２６】
図２は、データ通信に適応したシステム100において構成されている例示的な移動局106および基地局104を示している。基地局104および移動局106は、順方向および逆方向リンク上で通信することが示されている。移動局106は、受信サブシステム220において順方向リンク信号を受信する。別途詳しく記載される、順方向データおよび制御チャネルを通信する基地局104は、本明細書では、移動局106への供給局（serving station）と呼ばれ得る。例示的な受信サブシステムは、図３を参照して別途詳しく記載される。供給基地局から移動局106において受信された順方向リンク信号に対して、搬送波対干渉(C/I)が推定される。Ｃ／Ｉ測定値は、チャネル推定値として使用されるチャネル品質メトリックの一例であり、別の実施形態では、別のチャネル品質メトリックを展開することができる。Ｃ/Ｉ測定値は、基地局104内の送信サブシステム210に伝達され、その一例は、図３に関連して、別途より詳しく記載される。
【００２７】
送信サブシステム210は、Ｃ/Ｉ推定値を、逆方向リンクによって伝達し、それは供給基地局に伝達される。当技術において周知の、ソフトハンドオフの状況では、移動局から伝送された逆方向リンク信号は、供給基地局以外の、本明細書において非供給基地局（non-serving base station）と呼ばれる、１つ以上の基地局によって受信され得ることに注意すべきである。基地局104内の受信サブシステム230は、移動局106からＣ/Ｉ情報を受信する。
【００２８】
基地局104内のスケジューラ240は、データが供給セルの受信可能領域内の１つ以上の移動局へ伝送されるかどうか、およびどのように伝送されるか判断するのに使用される。何れかのタイプのスケジューリングアルゴリズムを、本発明の範囲内で展開することができる。一例は、１９９７年２月１１日に出願された米国特許出願第０８／７９８，９５１号（“METHOD AND APPARATUS FOR FORWARD LINK RATE SCHEDULING”）に開示されており、これは、本発明の譲受人に譲渡されている。
【００２９】
例示的な１ｘＥＶ-ＤＶの実施形態では、移動局から受信されたＣ/Ｉ測定値が、ある特定のレートでデータを伝送できることを示すとき、順方向リンク伝送のための移動局が選択される。システム容量に関して、共有される通信資源がその最大支援可能レートで常に使用されるように、目標の移動局を選択することが好都合である。したがって、選択される通常の目標移動局は、最大の報告されたＣ/Ｉをもつものであり得る。他の要素も、スケジューリングの決定に取り入れられ得る。例えば、最低のサービス品質は、種々のユーザに保証され得る。比較的により低いと報告されたＣ/Ｉをもつ移動局が、伝送のために選択され、そのユーザへの最低データ転送レートを維持し得る。最高の報告されたＣ/Ｉをもたない移動局が、全ユーザ間である特定の公平基準を維持するために、伝送のために選択され得る。
【００３０】
例示的な１ｘＥＶ-ＤＶシステムでは、スケジューラ240は、伝送のための移動局と、さらに加えて、その伝送のためのデータレート、変調フォーマット、および電力レベルを判断する。ＩＳ−８５６システムのような、別の実施形態では、例えば、測定されたチャネル品質に基づいて、移動局において、支援可能なレート/変調フォーマットが決定されることができ、Ｃ/Ｉ測定値の代わりに、伝送フォーマットが、供給基地局へ伝送されることができる。当業者には、本発明の範囲内で展開することができる、支援可能なレート、変調フォーマット、電力レベル、等の無数の組み合せが分かるであろう。さらに加えて、本明細書に記載された種々の実施形態では、スケジューリングタスクは、基地局で行われるが、別の実施形態では、スケジューリング処理のいくつか、または全てが、移動局で行われ得る。
【００３１】
スケジューラ240は、選択されたレート、変調フォーマット、電力レベル、等を使用して、順方向リンク上で選択された移動局へ伝送するように、送信サブシステム250に命令する。
【００３２】
例示的な実施形態では、制御チャネル、すなわちＦ−ＰＤＣＣＨ上のメッセージは、データチャネル、すなわちＦ−ＰＤＣＨ上のデータと共に伝送される。制御チャネルは、Ｆ−ＰＤＣＨ上のデータの受信移動局を識別し、さらに加えて、通信セッション中に有用な他の通信パラメータを識別するのに使用されことができる。Ｆ−ＰＤＣＣＨが、ある移動局が伝送の目標であることを示すと、その移動局はＦ−ＰＤＣＨからデータを受信し、復調すべきである。移動局は、このようなデータの受信後に、逆方向リンク上で、伝送が成功か、または失敗かを示すメッセージで応答する。当技術において周知の再送技術は、一般にデータ通信システムにおいて展開される。
【００３３】
移動局は、２つ以上の基地局と通信することができ、この状態は、ソフトハンドオフ（soft handoff）として知られている。ソフトハンドオフは、１つの基地局(または、１つのベーストランシーバサブシステム(Base Transceiver Subsystem, BTS)からの多数のセクタ、並びに多数のＢＴＳからのセクタを含むこともあり、これは、よりソフトなハンドオフ（softer handoff）として知られている。ソフトハンドオフの基地局セクタは、通常、移動局のアクティブな組に記憶される。ＩＳ−９５、ＩＳ−２０００、または１ｘＥＶ-ＤＶの対応する部分のシステムのような、同時に共有される通信資源システムでは、移動局は、アクティブな組の中の全てのセクタから伝送された順方向リンク信号を組み合せ得る。ＩＳ−８５６のようなデータのみのシステム、または１ｘＥＶ-ＤＶシステムの対応する部分では、移動局は、アクティブな組内の１つの基地局、すなわち (Ｃ．Ｓ０００２．Ｃ標準に記載されているもののような、移動局選択アルゴリズムにしたがって判断される)供給基地局から順方向リンクデータ信号を受信する。他の順方向リンク信号(その例は、別途さらに詳しく記載される)も、非供給基地局から受信され得る。
【００３４】
移動局からの逆方向リンク信号は、多数の基地局において受信されることができ、逆方向リンクの品質は、通常、アクティブな組内の基地局において維持される。多数の基地局において受信される逆方向リンク信号は、組み合されることができる。一般に、異なって位置する基地局からの逆方向リンク信号のソフトな組み合せは、ほとんど遅延のない、相当なネットワーク通信帯域幅を必要とし、したがって、上述で示した例示的なシステムは、それを支援しない。よりソフトなハンドオフでは、多数のセクタにおいて１つのＢＴＳにおいて受信される逆方向リンク信号は、ネットワークのシグナリングなしに、組み合されることができる。何れかのタイプの逆方向リンク信号の組み合せが、本発明の範囲内で展開され得るが、既に記載された例示的なシステムでは、逆方向リンクの電力制御が、逆方向リンクフレームが１つのＢＴＳにおいて適切に復号されるように、品質を維持する(スイッチングダイバーシティ)。
【００３５】
逆方向リンクデータ伝送は、システム100でも実行され得る。上述の受信および送信サブシステム210ないし230、および250は、順方向リンク上で制御信号を送って、逆方向リンク上でデータ伝送を方向付けるように展開され得る。移動局106は、逆方向リンク上でも制御情報を伝送し得る。１つ以上の基地局104と通信する種々の移動局106は、種々のアクセス制御およびレート制御技術（それらの例は、別途詳しく記載される）に応じて、共有通信資源にアクセスし得る(すなわち、逆方向リンクチャネルは、１ｘＥＶ-ＤＶでは、可変に割り振られ、ＩＳ−８５６では、固定で割り振られ得る)。スケジューラ240は、逆方向リンク資源の割り振りを判断するために展開され得る。逆方向リンクのデータ通信のための例示的な制御およびデータ信号は、別途詳しく記載される。
【００３６】
例示的な基地局および移動局の実施形態
図３は、移動局106または基地局104のような無線通信デバイスのブロック図である。この例示的な実施形態に示されているブロックは、概ね、基地局104または移動局106の何れかに含まれている構成要素のサブセットである。当業者は、図３に示されている実施形態を、任意の数の基地局または移動局の構成で使用するために容易に適応させるであろう。
【００３７】
信号は、アンテナ310で受信され、受信機320に伝達される。受信機320は、上述で示された標準のような、１つ以上の無線システム標準にしたがって処理を行う。受信機320は、無線周波数(Radio Frequency, RF)対ベースバンド変換、増幅、アナログ対ディジタル変換、フィルタリング、等のような種々の処理を行う。受信のための種々の技術は、当技術において知られている。受信機320は、デバイスがそれぞれ移動局または基地局であるとき、順方向または逆方向リンクのチャネル品質を測定するのに使用され得るが、個別のチャネル品質推定器335が、説明を分かり易くするために、別途詳しく示される。
【００３８】
受信機320からの信号は、1つ以上の通信標準にしたがって、復調器325において復調される。例示的な実施形態では、１ｘＥＶ-ＤＶの信号を復調できる復調器が、展開される。別の実施形態では、別の標準が支援され、実施形態は、多数の通信フォーマットを支援し得る。復調器330は、レーキ(ＲＡＫＥ)受信、等化、組み合せ、デインターリービング、復号、および受信信号のフォーマットによって要求される種々の他の機能を行い得る。種々の復調技術が、当技術において知られている。基地局104では、復調器325は、逆方向リンクにしたがって復調するであろう。移動局106では、復調器325は、順方向リンクにしたがって復調するであろう。本明細書に記載されているデータチャネルおよび制御チャネルの両者は、受信機320および復調器325において受信され、復調されることができるチャネルの例である。既に記載されたように、順方向データチャネルの復調は、制御チャネル上での信号伝送にしたがって行われるであろう。
【００３９】
メッセージ復号器330は、復調されたデータを受信し、それぞれ順方向リンクあるいは逆方向リンク上で移動局106あるいは基地局104に宛てられた信号またはメッセージを抽出する。メッセージ復号器330は、システム上での(音声またはデータセッションを含む)呼の設定、維持、および切断に使用される種々のメッセージを復号する。メッセージは、順方向データチャネルの復調のために使用されるＣ/Ｉ測定値、電力制御メッセージ、または制御チャネルメッセージのような、チャネル品質表示を含み得る。それぞれ逆方向または順方向リンク上で伝送される種々のタイプの制御メッセージは、基地局104または移動局106の何れかで復号され得る。例えば、それぞれ移動局または基地局において生成するための逆方向リンクデータ伝送をスケジュールするための要求メッセージおよび承認メッセージは、別途記載される。種々の他のメッセージタイプが、当技術において知られており、支援される種々の通信標準において特定され得る。メッセージは、プロセッサ350へ伝達され、後の処理で使用される。説明を分かり易くするために、ディスクリートなブロックが示されているが、メッセージ復号器330の機能のいくつか、または全ては、プロセッサ350内で実行され得る。その代わりに、復調器325が、ある特定の情報を復号し、それ (例えば、ＡＣＫ/ＮＡＫまたは電力制御アップ／ダウンコマンドのような１ビットのメッセージ)を直接にプロセッサ350に送ってもよい。本明細書に開示されている実施形態で使用される種々の信号およびメッセージは、別途さらに詳しく記載される。
【００４０】
チャネル品質推定器335は、受信機320に接続され、本明細書に記載されている手続きで使用する種々の電力レベル推定を行うため、および復調のような、通信において使用される種々の他の処理に使用される。移動局106では、Ｃ/Ｉ測定が行われ得る。さらに加えて、システム内で使用される信号またはチャネル測定値は、所与の実施形態のチャネル品質推定器335において測定され得る。基地局104または移動局106では、受信パイロット電力のような信号強度の推定を行うことができる。チャネル品質推定器335は、単に説明を分かり易くするために、ディスクリートなブロックとして示されている。このようなブロックは、受信機320または復調器325のような別のブロック内に組込まれるのが、一般的である。推定されている信号またはシステムタイプに依存して、種々のタイプの信号強度推定を行うことができる。通常、チャネル品質推定器335の代わりに、本発明の範囲内の、何れかのタイプのチャネル品質メトリック推定ブロックを展開することができる。基地局104では、チャネル品質推定は、別途さらに記載されるように、スケジューリング、または逆方向リンク品質の判断において使用されるプロセッサ350に伝達される。チャネル品質推定は、電力アップまたはダウン制御コマンドが、順方向または逆方向リンク電力を希望の設定点に駆動するのに必要とされるかどうかを判断するのに使用され得る。希望の設定点は、外部ループ電力制御装置機構で判断され得る。
【００４１】
信号は、アンテナ310を介して伝送される。伝送信号は、既に記載されたもののような、１つ以上の無線システム標準にしたがって、送信機370においてフォーマットされる。送信機370内に含まれ得る構成要素の例は、増幅器、フィルタ、ディジタル対アナログ(digital-to-analog, D/A)変換器、無線周波数(ＲＦ)変換器、等である。伝送データは、変調器365によって送信機370に与えられる。データおよび制御チャネルは、種々のフォーマットにしたがって、伝送のためにフォーマットされることができる。順方向リンクデータチャネル上の伝送データは、Ｃ/Ｉまたは他のチャネル品質測定値にしたがうスケジューリングアルゴリズムによって示されたレートおよび変調フォーマットにしたがって、変調器365においてフォーマットされ得る。既に記載されたスケジューラ240のような、スケジューラは、プロセッサ350内に存在し得る。同様に、送信機370は、スケジューリングアルゴリズムにしたがう電力レベルで伝送するように指示され得る。変調器365に組み入れられ得る構成要素の例は、種々のタイプの符号器、インターリーバ、拡散器、および変調器を含む。１ｘＥＶ-ＤＶシステム上で展開するのに適した、例示的な変調フォーマットおよびアクセス制御を含む、逆方向リンクの設計も、別途記載される。
【００４２】
本明細書に記載されているように、メッセージ生成器360は、種々のタイプのメッセージを準備するために使用され得る。例えば、Ｃ/Ｉメッセージは、移動局において逆方向リンク上で伝送するために生成され得る。種々のタイプの制御メッセージは、順方向リンクまたは逆方向リンク上の伝送するために、基地局104または移動局106の何れかでそれぞれ生成され得る。例えば、それぞれ、移動局または基地局で生成する逆方向リンクデータの伝送をスケジュールするための要求メッセージおよび承認メッセージが、別途記載される。
【００４３】
復調器325において受信され、復調されたデータは、プロセッサ350に伝達され、音声またはデータ通信に使用され、種々の他の構成要素へも伝達され得る。同様に、伝送データは、プロセッサ350から、変調器365および送信機370に導かれ得る。例えば、プロセッサ350、あるいは無線通信デバイス104または106に含まれている別のプロセッサ(図示されていない)上には、種々のデータアプリケーションが存在し得る。基地局104は、図示されていない他の装置によって、インターネット(図示されていない)のような１つ以上の外部ネットワークに接続され得る。移動局106は、ラップトップコンピュータ(図示されていない)のような外部デバイスへのリンクを含み得る。
【００４４】
プロセッサ350は、汎用マイクロプロセッサ、ディジタル信号プロセッサ(digital signal processor, DSP)、または特殊用途プロセッサであり得る。プロセッサ350は、受信機320、復調器325、メッセージ復号器330、チャネル品質推定器335、メッセージ生成器360、変調器365、または送信機370の機能のいくつか、または全て、並びに無線通信デバイスによって要求される他の処理を行い得る。プロセッサ350は、専用のハードウエアと接続され、これらのタスクを支援し得る(詳細は、示されていない)。外部で接続されたラップトップコンピュータまたはネットワークへの接続のような、データまたは音声アプリケーションは、無線通信デバイス104または106(図示されていない)内の追加のプロセッサ上で実行されるか、またはプロセッサ350自体の上で実行され得る。プロセッサ350は、メモリ355に接続され、メモリ355は、本明細書に記載された種々の手続きおよび方法を行うための命令およびデータを記憶するために使用されることができる。当業者は、メモリ355は、種々のタイプの１つ以上のメモリ構成要素で構成され、それらは、全体的に、あるいは部分的にプロセッサ350内に埋め込まれ得ることが分かるであろう。
【００４５】
一般的なデータ通信システムは、種々のタイプの１本以上のチャネルを含み得る。より具体的には、１本以上のデータチャネルが展開されるのが一般的である。１本以上の制御チャネルが展開されるのも一般的であるが、データチャネル上にバンド内制御シグナリングを含んでもよい。例えば、１ｘＥＶ-ＤＶシステムでは、順方向パケットデータ制御チャネル(Forward Packet Data Control Channel, F-PDCCH)および順方向パケットデータチャネル(Forward Packet Data Channel, F-PDCH)は、それぞれ、順方向リンク上での制御およびデータのために定められている。逆方向リンクデータ伝送のための種々の例示的なチャネルを次に詳しく記載する。
【００４６】
１ｘＥＶ-ＤＶの逆方向リンクの設計の検討
このセクションでは、無線通信システムの逆方向リンクの例示的な実施形態の設計において検討される種々の要素が記載される。次のセクションにおいてさらに詳しく記載されている実施形態の多くにおいて、１ｘＥＶ-ＤＶ標準と関係付けられる信号、パラメータ、および手続きが使用される。本明細書に記載されている態様の各々、およびその組み合せが、本発明の範囲内の任意の数の通信システムに適用され得るように、この標準は、例示のためにのみ記載される。このセクションは、本発明の種々の態様を網羅しているわけではないが、その部分的な要約として役立つ。例示的な実施形態は、追加の態様が記載される後のセクションの中でさらに詳しく記載される。
【００４７】
多くの場合において、逆方向リンクの容量は、干渉制限される。基地局は、種々の移動局のサービス品質(ＱｏＳ)要件にしたがって、スループットを最大化する効率的な使用のために、使用可能な逆方向リンクの通信資源を移動局に割り振る。
【００４８】
逆方向リンク通信資源の使用を最大化することは、いくつかの要素を含む。検討すべき１つの要素は、各々が任意の所与の時間において異なるチャネル品質を経験し得る、種々の移動局からのスケジュールされた逆方向リンク伝送の混合である。全スループット(セル内の全移動局によって伝送される集合体データ)を増加するために、逆方向リンクデータが送られるときは常に、全逆方向リンクが完全に使用されることが望ましい。使用可能な容量を満たすために、移動局は、それらが支援できる最高レートでアクセスを承認され、容量に達するまで、追加の移動局がアクセスを承認され得る。基地局が、スケジュールする移動局を決定するときに検討し得る１つの要素は、各移動局が支援できる最高レート、および各移動局が送らなければならないデータ量である。より高いスループットが可能な移動局が、より高いスループットを支援しないチャネルをもつ別の移動局の代わりに、選択され得る。
【００４９】
検討される別の要素は、各移動局によって要求されるサービス品質である。１つの移動局へのアクセスを、そのチャネルが改善するだろうということを期待して、より良い位置にある移動局を選択するのを選ぶ代わりに、遅らせることは許され得るが、最低のサービス品質の保証を満たすために、次善の移動局へのアクセスが承認される必要があるかもしれない。したがって、スケジュールされるデータのスループットは、絶対最大値でなく、むしろ、チャネル条件、使用可能な移動局の伝送電力、およびサービス要件を考慮して最大化され得る。選択された混合の信号対雑音比を低減する任意の構成が望ましい。
【００５０】
移動局が逆方向リンク上でデータを伝送することを可能にする種々のスケジューリング機構が、別途記載される。逆方向リンク伝送の１つのクラスは、移動局が逆方向リンク上での伝送を要求することを含む。基地局は、要求に適応するのに、資源が使用可能であるかどうかを判断する。伝送を許可する承認が行われ得る。移動局と基地局との間のこのハンドシェークは、逆方向リンクのデータの伝送が可能になる前に、遅延を取り込む。逆方向リンクデータのある特定のクラスでは、遅延を許容できる。他のクラスは、遅延により敏感である可能性があり、遅延を軽減するための逆方向リンク伝送の別の技術が、別途詳しく記載される。
【００５１】
さらに加えて、逆方向リンク資源は、伝送要求をするために費やされ、順方向リンク資源は、要求に応答する、すなわち承認を伝送するために費やされる。移動局のチャネル品質が低い、すなわち低い幾何学的配置（low geometry）または深いフェージングのとき、移動局に到達する順方向リンクに対して要求される電力が、比較的に高いことがある。逆方向リンクデータ伝送に必要な要求および承認の要求伝送電力の数値を低減する種々の技術が、別途詳しく記載される。
【００５２】
要求/承認のハンドシェークによって取り込まれる遅延を回避するために、およびそれらを支援するのに必要な順方向および逆方向リンク資源を節約して使うために、自律の逆方向リンク伝送モードが支援される。移動局は、要求を行うことも、または承認を待つこともなく、逆方向リンク上で制限されたレートでデータを伝送し得る。
【００５３】
承認にしたがって、または承認のオーバーヘッドなく、自律的に、伝送する移動局の伝送レートを修正することも望ましいであろう。これを達成するために、自律の、および要求/承認に基づくスケジューリングと共に、レート制御コマンドが実施され得る。例えば、コマンドの組は、現在の伝送レートを増加、低減、および不変に保持するコマンドを含み得る。このようなレート制御コマンドは、各移動局へ個々に、または移動局のグループへアドレス指定可能であり得る。種々の例示的なレート制御コマンド、チャネル、および信号は、別途さらに詳しく記載される。
【００５４】
基地局は、１つ以上の移動局に逆方向リンク容量の一部を割り振る。アクセスを承認される移動局は、最大電力レベルを与えられる。本明細書に記載された例示的な実施形態では、逆方向リンク資源はトラヒック対パイロット(Traffic to Pilot, T/P)比を使用して割り振られる。各移動局のパイロット信号は、電力制御によって適応できるように制御されるので、Ｔ/Ｐ比の指定は、逆方向リンク上でデータを伝送するのに使用される使用可能な電力を示す。基地局は、1つ以上の移動局へ特定の承認を行って、各移動局に特定のＴ/Ｐ値を示す。また、基地局は、アクセスを要求された、残りの移動局へ共通の承認を行い、これらの残りの移動局が伝送することを許される最大Ｔ/Ｐ値を示す。自律のスケジュールされた伝送、個別および共通の承認、並びにレート制御は、さらに詳しく別途記載される。
【００５５】
種々のスケジューリングアルゴリズムは、当技術において知られており、開発されることはまだ他にあり、それは、承認のための種々の特定および共通のＴ/Ｐ値、さらに加えて、登録された移動局の数にしたがう希望のレート制御コマンド、移動局による自律伝送の確率、未解決の要求の数およびサイズ、承認に対する予想平均応答、並びに他の要素の数を判断するのに使用され得る。１つの例において、選択は、要求する移動局の組からのサービス品質(ＱｏＳ)の優先度、効率、および達成可能なスループットに基づいて行われる。１つの例示的なスケジューリング技術は、２００３年８月２８日に出願された現在審査中の米国特許出願第１０／６５１，８１０号（“SYSTEM AND METHOD FOR A TIME-SCALABLE PRIORITY-BASED SCHEDULER”）に開示されており、これは、本発明の譲受人に譲渡されている。追加の参考文献は、米国特許第５，９１４，９５０号（“METHOD AND APPARATUS FOR REVERSE LINK RATE SCHEDULING”）、および同じ発明の名称の米国特許第５，９２３，９５０号（“METHOD AND APPARATUS FOR REVERSE LINK RATE SCHEDULING”）を含み、両者は本発明の譲受人に譲渡されている。
【００５６】
移動局は、１つ以上のサブパケットを使用して、データパケットを伝送し、各サブパケットは完全なパケット情報を含む(種々の符号化または冗長が、種々のサブパケットの全体にわたって展開され得るので、各サブパケットは必ずしも同一に符号化されない)。再送技術は、確実な伝送を保証するように展開され、例えば、自動反復要求(Automatic Repeat reQuest, ARQ)がある。したがって、第１のサブパケットが(例えば、ＣＲＣを使用して)誤りなく受信されると、肯定の確認応答(positive Acknowledgement, ACK)が移動局へ送られ、追加のサブパケットは送られない(各サブパケットは、１つの形式または別の形式で、パケット情報全体を含むことを再び確認する)。第１のサブパケットが正しく受信されないときは、否定の確認応答(Negative Acknowledgement, NAK)信号が、移動局へ送られ、第２のサブパケットが伝送されることになる。基地局は、２つのサブパケットのエネルギを組み合せて、復号することを試みることができる。処理は無期限に繰り返され得るが、サブパケットの最大数を特定するのが一般的である。本明細書に記載された例示的な実施形態では、４つまでのサブパケットが伝送され得る。したがって、追加のサブパケットが受信されるとき、正確に受信する確率が高くなる。ＡＲＱ応答、レート制御コマンド、および承認を組み合せて、伝送レートにおける柔軟性の希望レベルを許容オーバーヘッドレベルで与える種々のやり方が、別途詳しく記載される。
【００５７】
今記載したように、移動局は、短い待ち時間でデータを伝送する自律転送を使用するか、またはより高いレートの転送を要求して、共通または特定の承認を待つかの決定において、待ち時間とスループットとの折り合いを付け得る。さらに加えて、所与のＴ/Ｐにおいて、移動局は、待ち時間またはスループットに適したデータレートを選択し得る。例えば、伝送するためのビットが比較的に少ない移動局は、短い待ち時間が望ましいと決定し得る。使用可能なＴ/Ｐ(この例では、恐らくは自律伝送の最大値であるが、特定または共通の承認のＴ/Ｐでもあり得る)において、移動局は、基地局が第１のサブパケットを正確に受信する確率が高くなるような、レートおよび変調フォーマットを選択し得る。再送は、必要であれば、使用可能であるだろうが、この移動局はそのデータビットを１つのサブパケットで伝送できる可能性が高い。本明細書に記載されている種々の例示的な実施形態では、各サブパケットは５ミリ秒で伝送される。したがって、この例では、移動局は、直ちに自律転送を行い、これは、基地局において、５ミリ秒の間隔の後で受信される可能性が高い。その代わりに、移動局は、追加のサブパケットの使用可能性を使用して、所与のＴ/Ｐで伝送されるデータ量を増加してもよいことに注意すべきである。したがって、移動局は、自律転送を選択して、要求および承認と関係付けられる待ち時間を低減することも、さらに加えて、要求されるサブパケット数(したがって、待ち時間)を最小化する特定のＴ/Ｐに対するスループットを与えることもできる。全てのサブパケットが選択されても、自律転送は、比較的に少数のデータ転送を要求および承認するよりも、短い待ち時間になるであろう。当業者には、伝送されるデータの量が増えると、伝送するための多数のパケットが必要になり、要求および承認に伴う不利は、多数のパケット全体における、より高いデータレートの増加したスループットによって最後的に相殺されることになるので、要求および承認のフォーマットに切り換えることによって、全体的な待ち時間が低減され得ることが分かるであろう。このプロセスは、種々のＴ/Ｐ割り当てに関係付けられることができる伝送レートおよびフォーマットの例示的な組を用いて、別途さらに詳しく記載される。
【００５８】
逆方向リンクのデータ伝送
逆方向リンク設計の１つの目標は、伝送されるべき逆方向リンクデータがある限り、基地局における温度による上昇(Rise-over-Thermal, RoT)を比較的に一定に維持することであり得る。逆方向リンクデータチャネル上での伝送は、３つの異なるモードで処理される。
【００５９】
自律伝送：この場合は、短い遅延を要求するトラヒックに使用される。移動局は、供給基地局(すなわち、移動局がそのチャネル品質表示(Channel Quality Indicator, CQI)を宛てる基地局)によって判断される、ある特定の伝送レートまでで、直ちに伝送することを許される。供給基地局は、スケジューリング基地局、または承認基地局とも呼ばれる。自律伝送のための最大許容伝送レートは、システムの負荷、輻輳、等に動的に基づいて、供給基地局によって知らされ得る。
【００６０】
スケジュールされた伝送：移動局は、その緩衝サイズの推定値、使用可能な電力、および恐らくは、他のパラメータを送る。基地局は、移動局が伝送することを許されるときを判断する。スケジューラの目標は、同時通信の数を制限し、それにより、移動局間の干渉を低減することである。スケジューラは、セル間領域内の移動局に、より低いレートで伝送させて、隣り合うセルへの干渉を低減することと、Ｒ−ＦＣＨ上の音声品質、Ｒ−ＣＱＩＣＨ上のＤＶのフィードバック、および確認応答(Ｒ−ＡＣＫＣＨ)、さらに加えて、システムの安定性を保護するために、ＲｏＴをしっかりと制御することを試み得る。
【００６１】
レート制御された伝送：移動局が、スケジュールされて（すなわち、承認されて）、または自律的に伝送しても、基地局はレート制御コマンドによって伝送レートを調節し得る。例示的なレート制御コマンドは、現在のレートの増加、低減、および保持を含む。追加のコマンドは、レート変更がどのくらい実施されるか(すなわち、増加または低減量)を特定する追加のコマンドが含まれ得る。レート制御コマンドは、確率的であるか、または確定的であり得る。
【００６２】
本明細書に詳しく記載された種々の実施形態は、無線通信システムの逆方向リンクのスループット、容量、および全体的なシステムの性能を向上するように設計された１つ以上の特徴を含む。例示のみのために、１ｘＥＶ-ＤＶシステムのデータ部分、とくに、拡張逆方向補助チャネル(Reverse Supplemental Channel, R-ESCH)上での種々の移動局による伝送の最適化を記載する。このセクションでは、例示的な実施形態の１つ以上において使用されている種々の順方向および逆方向リンクチャネルが詳しく記載される。これらのチャネルは、一般に通信システムにおいて使用されるチャネルのサブセットである。
【００６３】
図４は、逆方向リンクデータ通信のためのデータおよび制御信号の例示的な実施形態を示す。移動局106は、種々のチャネルによって通信し、各チャネルは１つ以上の基地局104Ａ-104Ｃに接続されることが示されている。基地局104Ａは、スケジューリング基地局として示されている。他の基地局104Ｂおよび104Ｃは、移動局106のアクティブな組の一部である。４つのタイプの逆方向リンク信号と、４つのタイプの順方向リンク信号とがある。次に、それらを記載する。
【００６４】
Ｒ−ＲＥＱＣＨ
移動局は、逆方向要求チャネル(Reverse Request Channel, R-REQCH)を使用して、スケジューリング基地局から、データの逆方向リンク伝送を要求する。例示的な実施形態では、要求は、Ｒ−ＥＳＣＨ(別途詳しく記載される)上で伝送される。例示的な実施形態では、Ｒ−ＲＥＱＣＨ上の要求は、移動局が支援できるＴ/Ｐ比、変化するチャネル条件にしたがう変数、および緩衝サイズ(すなわち、伝送を待つデータ量)を含む。また、その要求は、伝送を待っているデータのサービス品質(ＱｏＳ)を指定し得る。移動局は、その移動局のために特定された１つのＱｏＳレベルか、または、その代わりに、異なるタイプのサービスオプションのための異なるＱｏＳレベルをもち得ることに注意すべきである。より高い層のプロトコルは、ＱｏＳ、または種々のデータサービスのための他の希望のパラメータ(例えば、待ち時間またはスループット要件)を示し得る。別の実施形態では、逆方向専用制御チャネル(Ｒ−ＤＣＣＨ)は、(例えば、音声サービスに使用される)逆方向基本チャネル(Reverse Fundamental Channel, R-FCH)のような他の逆方向リンク信号と共に使用されアクセス要求を行うのに使用され得る。概して、アクセス要求は、論理チャネル、すなわち、逆方向スケジュール要求チャネル(Reverse Schedule Request Channel, R-SRCH)を含み、これは、Ｒ−ＤＣＣＨのような、何れかの既存の物理チャネル上にマップされ得ると記載され得る。例示的な実施形態は、ＩＳ−２０００の改訂（Revision）Ｃのような既存のＣＤＭＡシステムと後方互換性があり、Ｒ−ＲＥＱＣＨは、Ｒ−ＦＣＨまたはＲ−ＤＣＣＨの何れかがないときに展開されることができる物理チャネルである。分かり易くするために、Ｒ−ＲＥＱＣＨという用語は、本明細書の実施形態の記載においてアクセス要求チャネルを記載するのに使用されるが、当業者は、アクセス要求チャネルが、論理的であるか、物理的であるかにかかわらず、その原理を任意のタイプのアクセス要求システムに容易に拡張するであろう。Ｒ−ＲＥＱＣＨは、 要求が必要とされるまで、ゲート制御をオフされ、干渉を低減し、システム容量を保存し得る。
【００６５】
例示的な実施形態では、Ｒ−ＲＥＱＣＨは、１２入力ビットをもち、これは、次に示すもの、すなわち、移動局が支援できる最大のＲ−ＥＳＣＨのＴ/Ｐ比を特定する４ビット、移動局の緩衝におけるデータ量を特定する４ビット、およびＱｏＳを特定する４ビットから構成されている。当業者は、別の実施形態には、任意の数のビットおよび種々の他のフィールドが含まれ得ることが分かるであろう。
【００６６】
Ｆ−ＧＣＨ
順方向承認チャネル(Forward Grant Channel, F-GCH)は、スケジューリング基地局から移動局へ伝送される。Ｆ−ＧＣＨは、多数のチャネルで構成され得る。例示的な実施形態では、共通のＦ−ＧＣＨチャネルは、共通の承認を行うために展開され、１つ以上の個別のＦ−ＧＣＨチャネルは、個別の承認を行うために展開される。承認は、スケジューリング基地局によって、各Ｒ−ＲＥＱＣＨ上の１つ以上の移動局からの１つ以上の要求に応答して行われる。承認チャネル（grant channel）は、ＧＣＨｘと示され、添字ｘは、チャネル数を識別する。チャネル数０は、共通の承認チャネルを示すのに使用され得る。Ｎ本の個別のチャネルが展開されるとき、添字ｘは、１からＮの範囲にわたり得る。
【００６７】
個別の承認が１つ以上の移動局に対して行われ、その各々は、識別された移動局が、特定されたＴ/Ｐ比以下でＲ−ＥＳＣＨ上で伝送することを許可する。順方向リンクを許可すると、当然、幾らかの順方向リンク容量を使用するオーバーヘッドを取り入れることになる。承認に関係付けられるオーバーヘッドの軽減に対する種々のオプションは、本明細書に詳しく記載され、他のオプションは、本明細書において教示に照らして、当業者に明らかになるであろう。
【００６８】
各移動局が変動するチャネル品質を経験するように、移動局が置かれることについて検討する。したがって、例えば、好適な順方向および逆方向リンクチャネルをもつ高い幾何学的配置の移動局は、承認信号に対して比較的低い電力を必要とし、高いデータレートを使用できる可能性が高く、したがって、個別の承認にとって望ましい。低い幾何学的配置の移動局、すなわちより深いフェージングを経験するものは、個別の承認を確実に受信するために、相当により大きい電力を必要とし得る。このような移動局は、個別の承認に対する最良の候補ではない可能性がある。別途詳しく記載される、この移動局に対する共通の承認は、順方向リンクのオーバーヘッドにおいてよりコスト安であり得る。
【００６９】
例示的な実施形態では、多くの個別のＦ−ＧＣＨチャネルは、特定の時間において対応する数の個別の承認を与えるように展開される。Ｆ−ＧＣＨチャネルは、符号分割多重化される。これは、特定の意図された移動局に単に到着するのに必要とされる電力レベルで各承認を伝送する能力を助ける。別の実施形態では、１本の個別の承認チャネルは、時分割多元された個別の承認の数で展開され得る。時分割多重化された個別のＦ−ＧＣＨに対する各承認の電力を変えることは、複雑さを追加し得る。共通または個別の承認を伝達するためのシグナリング技術が、本発明の範囲内で展開され得る。
【００７０】
いくつかの実施形態では、比較的に多数の個別の承認チャネル(すなわち、Ｆ−ＧＣＨ)が、一度に比較的に多数の個別の承認を可能にするために展開される。このような場合は、各移動局が監視しなければならない個別の承認チャネルの数を制限することが望ましいであろう。１つの例示的な実施形態では、個別の承認チャネルの総数の種々のサブセットが定められる。各移動局は、監視するための個別の承認チャネルのサブセットを割り当てられる。これは、移動局が処理の複雑さを低減し、対応して、電力消費量を低減することを可能にする。スケジューリング基地局が、個別の承認の組を任意に割り当てることができないことあるので(例えば、設計によって、単一のグループのメンバは個別の承認チャネルの１本以上を監視しないので、全ての個別の承認をそのメンバに対して行うことはできない)、スケジューリングの柔軟性に対して折り合いがとられる。この柔軟性の損失は、必ずしも容量の損失に帰着しないことに注意すべきである。説明のために、４本の個別の承認チャネルを含む例を検討する。偶数の番号が付けられた移動局は、最初の２本の承認チャネルを監視するために割り当てられ、奇数の番号が付けられた移動局は、最後の２本を監視するために割り当てられ得る。別の例では、偶数の移動局が最初の３本の承認チャネルを監視し、奇数の移動局が最後の３本の承認チャネルを監視するように、サブセットがオーバーラップすることがある。スケジューリング基地局が、１つの何れかのグループ(偶数または奇数)から４つの移動局を任意に割り当てることができないことは明らかである。これらの例は、単なる例示である。サブセットの何れかの構成をもつ何れかの数のチャネルが、本発明の範囲内で展開され得る。
【００７１】
要求したが、個別の承認を受信していない残りの移動局は、共通の承認を使用するＲ−ＥＳＣＨ上での伝送の許可を与えられ得る。これは、残りの移動局の各々がしたがわなければならない最大のＴ/Ｐ比を特定する。共通のＦ−ＧＣＨは順方向共通承認チャネル(Forward Common Grant Channel, F-CGCH)とも呼ばれ得る。移動局は、１本以上の個別の承認チャネル(または、そのサブセット)と、さらに加えて、共通のＦ−ＧＣＨとを監視する。個別の承認を与えられないときは、移動局は、共通の承認が発行されるときに、伝送し得る。共通の承認は、残りの移動局(共通の承認移動局)が、ある特定のタイプのＱｏＳで、データを伝送し得る最大のＴ/Ｐ比を示す。
【００７２】
例示的な実施形態では、各共通の許可は、多数のサブパケットの伝送間隔において有効である。共通の承認を受信すると、要求を送ったが、個別の承認を得ていない移動局は、後の伝送間隔内で１つ以上の符号器パケットを伝送し始めることができる。承認情報は、多数回反復され得る。これは、共通の承認が、個別の承認を基準にして、低減された電力レベルで伝送されることを可能にする。各移動局は、多数の伝送からのエネルギを組み合せて、共通の承認を確実に復号し得る。したがって、例えば、個別の承認が、順方向リンクの容量に関して過度にコスト高であると考えられるとき、低い幾何学的配置の移動局は、共通の承認を選択し得る。しかしながら、共通の承認は、それでもオーバーヘッドを要求し、このオーバーヘッドを低減する種々の技術は、別途詳しく記載される。
【００７３】
Ｆ−ＧＣＨは、基地局によって各移動局へ送られ、基地局は新しいＲ−ＥＳＣＨのパケットの伝送をスケジュールする。これは、輻輳制御が必要になった場合に、符号器パケットの伝送または再送中に送られ、移動局に、符号器パケットの後のサブパケットにおけるその伝送のＴ/Ｐ比を修正させる。
【００７４】
例示的な実施形態では、共通の承認は、１２ビットから成り、３ビットのタイプフィールドを含み、次の９ビットのフォーマットを特定する。残りのビットは、このタイプフィールドに特定されている移動局の３つのクラスの最大許容Ｔ/Ｐ比を示し、３ビットは、各クラスの最大許容Ｔ/Ｐ比を示す。移動体のクラスは、ＱｏＳの要件または他の基準に基づき得る。種々の他の共通の承認フォーマットが、構想され、当技術において普通の技能をもつ者には容易に明らかであるであろう。
【００７５】
例示的な実施形態では、個別の承認は１２ビットを含み、この中の１１ビットは、伝送するのを承認された移動局の移動局ＩＤ（Mobile ID）および最大許容Ｔ/Ｐ比を特定するか、または最大許容Ｔ/Ｐ比を０に設定する（すなわち、移動局にＲ−ＥＳＣＨを伝送しないように命じる）ことを含めて、最大許容Ｔ/Ｐ比を変更するように移動局に明示的に知らせる。ビットは、特定された移動局の移動局ＩＤ(１９２の値の中の１つ)および最大許容Ｔ/Ｐ(１０の値の中の１つ)を特定する。別の実施形態では、特定された移動局に対して、１つの長い承認ビットが設定され得る。長い承認ビットが１に設定されるときは、移動局は、比較的に多数の固定の所定数(これは、シグナリングで更新されることができる)のパケットをそのＡＲＱチャネル上で伝送する許可を承認される。長い承認ビットが０に設定されるときは、移動局は、１つのパケットを伝送することを承認される。移動体は、０のＴ/Ｐ比の特定で、そのＲ−ＥＳＣＨの伝送をオフにするよう命じられ、これは、長い承認ビットがオフであるときは、１つのパケットの１つのサブパケットの伝送の間、長い承認ビットがオンのときは、より長い期間の間、Ｒ−ＥＳＣＨ上での伝送をオフにするように移動局に知らせるのに使用され得る。
【００７６】
１つの例示的な実施形態では、移動局は、供給基地局からのＦ−ＧＣＨのみを監視する。移動局は、Ｆ−ＧＣＨのメッセージを受信すると、Ｆ−ＧＣＨのメッセージ内のレート情報にしたがい、レート制御ビットを無視する。その代わりに、移動局は、供給基地局以外の基地局からのレート制御表示が、レート低減を示すとき(すなわち、ＲＡＴＥ ＤＥＣＲＥＡＳＥコマンドであり、別途詳しく記載される)は、Ｆ−ＧＣＨが増加を示しても、移動局はそのレートを低減するという規則を使用してもよい。
【００７７】
別の実施形態では、移動局は、全ての基地局またはそのアクティブな組の中の基地局のサブセットからのＦ−ＧＣＨを監視し得る。より高い層のシグナリングは、ハンドオフ指示メッセージまたは他のメッセージによって、何れのＦ−ＧＣＨを監視するか、およびチャネル割り当てにおいてそれらをどのように組み合せるかを、移動局に示す。異なる基地局からのＦ−ＧＣＨのサブセットはソフトに組み合され得ることに注意すべきである。移動局は、この可能性について通知されるであろう。異なる基地局からのＦ−ＧＣＨの可能なソフトな組み合せの後に、任意の一時点において、多数のＦ−ＧＣＨは依然として存在し得る。したがって、移動局は、その伝送レートを最低承認レート(または、何か他の規則)として決定し得る。
【００７８】
Ｒ−ＰＩＣＨ
逆方向パイロットチャネル(Reverse Pilot Channel, R-PICH)は、移動局から、アクティブな組の中の基地局へ伝送される。Ｒ−ＰＩＣＨの電力は、１つ以上の基地局において測定され、逆方向リンク電力制御に使用され得る。当技術において周知であるように、パイロット信号は、一貫した復調に使用される振幅および位相測定値を与えるために使用され得る。既に記載されたように、(スケジューリング基地局または移動局の電力増幅器の固有の制限によって制限されたとしても)移動局に使用可能な伝送電力量は、パイロットチャネル、１本以上のトラヒックチャネル、および制御チャネル間で分割される。付加的なパイロット電力は、より高いデータレートおよび変調フォーマットに必要とされ得る。電力制御におけるＲ−ＰＩＣＨの使用を単純にし、要求パイロット電力の瞬間の変化に関連する問題のいくつかを回避するために、補足または第２のパイロットとして使用される追加チャネルが割り振られ得る。通常、本明細書に開示されているように、パイロット信号は、既知のデータ列を使用して伝送されるが、情報を乗せた信号も展開され、復調のための参照情報を生成するのに使用され得る。例示的な実施形態では、Ｒ−ＲＩＣＨは、希望の追加パイロット電力を搬送するために使用される。
【００７９】
Ｒ−ＲＩＣＨ
移動局は、逆方向レート表示チャネル（Reverse Rate Indicator Channel, R-RICH）を使用して、逆方向トラヒックチャネル（reverse traffic channel, R-ESCH）上で伝送フォーマットを示す。このチャネルは、その代わりに、逆方向パケットデータ制御チャネル (Reverse Packet Data Control Channel, R-PDCCH)とも呼ばれ得る。
【００８０】
Ｒ−ＲＩＣＨは、移動局がサブパケットを伝送しているときは常に伝送され得る。また、移動局がＲ−ＥＳＣＨ上でアイドルであるときは、Ｒ−ＲＩＣＨはゼロのレート表示で伝送され得る。ゼロのレートのＲ−ＲＩＣＨフレーム(すなわち、Ｒ−ＥＳＣＨが伝送されていないことを示すＲ−ＲＩＣＨ)の伝送は、基地局が、移動局がアイドルであること検出すること、移動局のために逆方向リンク電力制御を維持すること、および他の機能を助ける。
【００８１】
Ｒ−ＲＩＣＨフレームの始まりは、現在のＲ−ＥＳＣＨの伝送の始まりと時間整列する。Ｒ−ＲＩＣＨのフレーム継続期間は、対応するＲ−ＥＳＣＨの伝送のフレーム継続期間と同じか、またはより短い。Ｒ−ＲＩＣＨは、同時のＲ−ＥＳＣＨの伝送の伝送フォーマット、例えば、ペイロード、サブパケットＩＤ、およびＡＲＱインスタンス順序番号(ARQ Instance Sequence Number, AI SN))ビット、並びに誤り検出のためのＣＲＣを運ぶ。例示的なＡＩ ＳＮは、新しいパケットが特定のＡＲＱ上で伝送されるたびにフリップするビットであり、“カラービット”と呼ばれることもある。これは、非同期ＡＲＱのために展開され、ここでは、パケットのサブパケットの伝送間に一定のタイミングはない。カラービットは、受信機が、１つのパケットのサブパケットを、同じＡＲＱチャネル上の隣り合うパケットのサブパケットと組み合せるのを防ぐのに使用され得る。Ｒ−ＲＩＣＨは、追加情報も搬送し得る。
【００８２】
Ｒ−ＥＳＣＨ
拡張逆方向補助チャネル（Enhanced Reverse Supplemental Channel, R-ESCH）は、本明細書に記載されている例示的な実施形態において、逆方向リンクトラヒックデータチャネルとして使用される。多数の伝送レートおよび変調フォーマットが、Ｒ−ＥＳＣＨのために展開され得る。例示的な実施形態では、Ｒ−ＥＳＣＨは、物理層の再送を支援するといった特性をもつ第１の符号がレート１/４の符号であるときの再送では、再送はレート１/４の符号を使用し、エネルギの組み合せが使用される。第１の符号が１/４よりも高いレートであるときの再送では、インクリメンタルな冗長が使用される。基礎的な符号は、レート１/５の符号である。その代わりに、全ての場合において、インクリメンタルな冗長が使用されることもある。
【００８３】
ハイブリッド自動反復要求(Hybrid Automatic-Repeat-Request, HARQ)は、Ｒ−ＥＳＣＨにアクセスし得る、自律のユーザとスケジュールされたユーザの両者に支援される。  多重ＡＲＱチャネルの同期動作は、再送間の一定のタイミングが支援され得る。同じパケットの連続するサブパケット間で一定数のサブパケットが許され得る。インターレース伝送（Interlaced transmission）も許される。一例として、５ミリ秒のフレームにおいて、４チャネルのＡＲＱが、サブパケット間で３サブパケットの遅延で支援され得る。
【００８４】
表１は、拡張逆方向補助チャネルのための例示的なデータレートを示している。５ミリ秒のサブパケットサイズが記載され、付随のチャネルは、この選択に適するように設計されている。当業者には容易に明らかであるように、他のサブパケットサイズも選ばれ得る。パイロット参照レベルは、これらのチャネルのために調節されない。すなわち、基地局は、所与の動作基点を目標にするＴ/Ｐを選ぶ柔軟性をもつ。この最大Ｔ/Ｐ値は、順方向承認チャネル上で送られる。移動局は、伝送電力が切れているとき、より低いＴ/Ｐを使用し、ＨＡＲＱが要求されたＱｏＳを満たすようにしてもよい。また、レイヤ３のシグナリングメッセージをＲ−ＥＳＣＨ上で伝送し、Ｒ−ＦＣＨまたはＲ−ＤＣＣＨ、あるいはこの両者がなくても、システムが動作するのを可能にする。
【表１】
0005612160.tif 000002
【００８５】
例示的な実施形態では、全てのレートに対して、ターボ符号化が使用される。Ｒ＝１/４の符号化では、現在のｃｄｍａ２０００の逆方向リンクと同様のインターリーバが使用される。Ｒ＝１/５の符号化では、ｃｄｍａ２０００順方向パケットデータチャネルと同様のインターリーバが使用される。
【００８６】
符号器パケット当りのビット数は、ＣＲＣビットおよび６テールビットを含む。１９２ビットの符号器パケットサイズでは、１２ビットのＣＲＣが使用され、そうでないときは、１６ビットのＣＲＣが使用される。５ミリ秒のスロットは、１５ミリ秒ずつ分割され、ＡＣＫ/ＮＡＫ応答のための時間を許容すると仮定される。ＡＣＫが受信されるときは、パケットの残りのスロットは伝送されない。
【００８７】
記載された５ミリ秒のサブパケットの継続期間および関連するパラメータは、単なる例としての役割をもつ。レート、フォーマット、サブパケット反復オプション、サブパケット継続期間、等の任意の数の組み合せも、当業者には、本明細書における教示に照らして、容易に分かるであろう。３本のＡＲＱチャネルを使用して、別の１０ミリ秒の実施形態が展開され得る。１つの実施形態では、１つのサブパケットの継続期間またはフレームサイズが選択される。例えば、５ミリ秒または１０ミリ秒の構造が選択される。別の実施形態では、システムは多数のフレーム継続期間を支援し得る。
【００８８】
Ｆ−ＣＰＣＣＨ
方向共通電力制御チャネル(Forward Common Power Control Channel, F-CPCCH)は、Ｆ−ＦＣＨおよびＦ−ＤＣＣＨが存在しないときか、またはＦ−ＦＣＨおよびＦ−ＤＣＣＨは存在するが、ユーザに専用でないとき、Ｒ−ＥＳＣＨを含む、種々の逆方向リンクチャネルを電力制御するのに使用される。チャネル割り当てにおいて、移動局は逆方向リンク電力制御チャネルを割り当てられる。Ｆ−ＣＰＣＣＨは、多数の電力制御サブチャネルを含み得る。
【００８９】
Ｆ−ＣＰＣＣＨは、共通輻輳制御サブチャネル(Common Congestion Control subchannel, F-OLCH)と呼ばれる電力制御サブチャネルを保持し得る。例示的な輻輳制御サブチャネルは、他のレートも使用できるが、一般に、１００ビット秒のレートである。本明細書においてビジービットと呼ばれる単一のビット（これは、信頼性のために反復され得る）は、自律伝送モードまたは共通の承認モード、あるいはこの両者の移動局が、レートを増加するか、または低減するかを示す。別の実施形態では、個別の承認モードも、このビットに対して敏感であり得る。種々の実施形態は、Ｆ−ＯＬＣＨに応答する伝送タイプの何れかの組み合せで展開され得る。これは、確率的に、または確定的に行われることができる。
【００９０】
１つの実施形態では、ビジービットを“０”に設定することは、ビジービットに応答する移動局が、その伝送レートを低減すべきであることを示す。ビジービットを“１”に設定することは、伝送レートにおける対応する増加を示す。当業者には容易に明らかであるように、無数の他のシグナリング方式が展開され、種々の別の例は、別途詳しく記載される。
【００９１】
チャネル割り当て中に、移動局は、これらの特別の電力制御チャネルを割り当てられる。１本の電力制御チャネルが、システム内の全ての移動局を制御するか、または、その代わりに、１本以上の電力制御チャネルが、移動局の種々のサブセットを制御する。輻輳制御のためのこの特定のチャネルの使用は、ほんの一例であることに注意すべきである。
【００９２】
Ｆ−ＡＣＫＣＨ
順方向確認応答チャネル（Forward Acknowledgement Channel）、すなわちＦ−ＡＣＫＣＨは、基地局によってＲ−ＥＳＣＨの正確な受信に確認応答するために使用され、さらに加えて、既存の承認を拡張するためにも使用されることができる。Ｆ−ＡＣＫＣＨ上の確認応答（acknowledgement , ACK）は、サブパケットの正確な受信を示す。移動局によるそのサブパケットの追加の伝送は、不要である。Ｆ−ＡＣＫＣＨ上の否定の確認応答(negative acknowledgement, NAK)は、移動局が、別のサブパケットを、１パケット当たりのサブパケットの最大許容数による制限のもとで、伝送することを可能にする。
【００９３】
本明細書に詳しく記載されている実施形態において、Ｆ−ＡＣＫＣＨは、受信されたサブパケットの肯定または否定の確認応答、並びに（Ｆ−ＲＣＣＨチャネルに関連して、別途記載される）レート制御コマンドが発行されるかどうかの表示を与えるために使用される。
【００９４】
図５は、３つの値をもつＦ−ＡＣＫＣＨを説明する例示的な実施形態である。この例示的なＦ−ＡＣＫＣＨは、１つ以上の基地局から移動局に伝送される単一の表示から成り、移動局からのＲ−ＥＳＣＨ上の伝送が各基地局によって正確に受信されたかどうか示す。例示的な実施形態では、Ｆ−ＡＣＫＣＨの表示は、アクティブな組の中の全ての基地局によって伝送される。その代わりに、Ｆ−ＡＣＫＣＨは、アクティブな組の特定のサブセットによって伝送されてもよい。Ｆ−ＡＣＫＣＨを送る基地局の組は、Ｆ−ＡＣＫＣＨのアクティブな組と呼ばれ得る。Ｆ−ＡＣＫＣＨのアクティブな組は、レイヤ３（Layer 3, L3）のシグナリングによって、移動局へ知らされ、チャネル割り当て中に、ハンドオフ指示メッセージ(Handoff Direction message, HDM)の中で、または当技術において知られている他の技術によって特定され得る。
【００９５】
例えば、Ｆ−ＡＣＫＣＨは、次の値、すなわちＮＡＫ、ＡＣＫ ＲＣ、およびＡＣＫ ＳＴＯＰをもつ３つの状態のチャネルであり得る。ＮＡＫは、移動局からパケットが再送されなければならないことを示す(しかしながら、最後のサブパケットが送られているときは、移動局は、要求/承認、レート制御、あるいは自律伝送のような、使用可能な技術の何れかを使用して、パケットを再び送る必要があり得る)。ＮＡＫがパケットの最後のサブパケットに対応するときは、移動局は、対応するＦ−ＲＣＣＨ(別途詳しく記載される)上のレート制御表示を監視する必要があり得る。
【００９６】
ＡＣＫ ＲＣは、移動局からのパケットの再送が不要であり、移動局は、対応するＦ−ＲＣＣＨ上のレート制御表示を監視すべきであることを示す。ＡＣＫ ＳＴＯＰも、再送が不要であることを示す。しかしながら、この場合は、移動局がＦ−ＧＣＨ（既に記載されている）上の承認メッセージを受信しない限り、移動局は次の伝送のために自律モードに戻るべきである。
【００９７】
Ｌ３シグナリングは、移動局が、そのアクティブな組の中の異なる基地局からのＦ−ＡＣＫＣＨ表示をソフトに組み合せるかどうか示し得る。これは、ＩＳ−２０００の改訂Ｃにしたがって電力制御ビットを処理することに相当し得る。例えば、表示、すなわち、ＡＣＫ ＣＯＭＢ ＩＮＤが、チャネル割り当て時に、ハンドオフメッセージ内で送られ、移動局が異なる基地局からのＦ−ＡＣＫＣＨ表示を組み合せるかどうか示す。Ｆ−ＡＣＫＣＨを伝送するための種々の技術が採用され、その例は、別途記載される。いくつかの例は、個別のＴＤＭチャネル、ＴＤＭ/ＣＤＭチャネル、または幾つかの他のフォーマットを含む。
【００９８】
この例では、パケットが確認応答されるかどうかに依存して、Ｆ−ＡＣＫチャネルを監視することにより、２つのクラスがある。ＮＡＫが受信されるときは、種々のオプションは使用可能である。移動局は、最大数のサブパケットが送られるまで、追加のサブパケットを送り得る。(例示的な実施形態では、サブパケットは、自律伝送によって始められても、承認の伝送によって始められても、レート制御の修正を受けても、受けなくても、同じ伝送フォーマットを使用して送られる。別の実施形態では、サブパケット伝送フォーマットは、本明細書に開示されている技術の何れかを使用して、変更され得る)。最後のサブパケットのＮＡＫの後で、移動局は、対応するレート制御コマンドに対処するか(Ｆ−ＲＣＣＨを監視する)、以前の承認またはレート制御コマンド(すなわち、希望であれば、自律伝送に戻る)にしたがって伝送を停止するか、または新しい受信された承認に応答し得る。
【００９９】
ＡＣＫが受信されると、それは、レート制御コマンドまたは停止への表示に対応し得る。レート制御が示されるときは、レート制御チャネル(rate control channel, F-RCCH)を監視し、それにしたがう。結果が停止であるときは、移動局はＦ−ＲＣＣＣＨ上のレート制御表示にしたがわず、自律モード(割り当てられた最大自律レートまででの伝送)に戻る。明示的な承認が、ＡＣＫ ＳＴＯＰと同時に受信されるとき、移動局は明示的な承認におけるコマンドにしたがう。
【０１００】
例えば、先ず、１つのアクティブな組のメンバか、または全てのセクタからの表示が同じである(ＡＣＫ ＣＯＭＢ ＩＮＤによって、そのように示されている)場合について検討する。この場合は、１つの結果表示がある。移動局がＮＡＫ(伝送されていない表示)を受信するとき、移動局は(適切なときに)次のサブパケットを再送する。移動局が最後のサブパケットに対してＡＣＫを受信しないときは、移動局は、次のパケットに進む(どのような再送アルゴリズムにしたがっていても、それにしたがって、誤ったパケットが再送され得る）。しかしながら、移動局は、レート制御表示としてこれを採用する(すなわち、レート制御チャネルを監視する)。
【０１０１】
この例では、(１つのアクティブな組のメンバおよび多数の特有のＦ−ＡＣＫＣＨのアクティブな組のメンバの両者に適用可能な)全般的な規則は、次の通りである。表示がＡＣＫ ＳＴＯＰまたはＡＣＫ ＲＣであるときは、結果はＡＣＫである。表示の何れもＡＣＫ ＳＴＯＰでも、ＡＣＫ ＲＣでもないときは、結果はＮＡＫである。したがって、レート制御に関連して、何れかの表示がＡＣＫ ＳＴＯＰであるときは、移動局は停止するであろう(すなわち、自律モードに戻るか、または、もしあるならば、承認に応答する)。表示がＡＣＫ ＳＴＯＰでなく、少なくとも1つの表示がＡＣＫ ＲＣであるときは、対応する基地局のレート制御チャネル(rate control channel, F-RCCH)上の表示を復号する。最後のサブパケットが伝送され、全ての表示がＮＡＫであるときは、全ての基地局のレート制御チャネル(Ｆ−ＲＣＣＨ)上の表示を復号する。これらのシナリオにおいてレート制御コマンドに応答することについては、Ｆ−ＲＣＣＨの記載に関連して、別途さらに詳しく記載される。
【０１０２】
ＡＣＫ ＲＣコマンドは、レート制御チャネルと組み合されると、ＡＣＫおよび継続（ACK-and-Continue）コマンドと呼ばれるコマンドのクラスと見なされ得る。移動局は、発行され得る種々のレート制御コマンド(後述において例を示す)にしたがって継続して、後のパケットを伝送し続け得る。ＡＣＫおよび継続コマンドは、基地局が、パケットの成功の受信に確認応答し、同時に、(レート制御コマンドによる可能な修正を受ける)成功の受信パケットを導く承認を使用して、移動局が伝送するのを許可することを可能にする。これは、新しい承認のオーバーヘッドを節約する。
【０１０３】
図５に示されているＦ−ＡＣＫＣＨの実施形態では、ＡＣＫ ＳＴＯＰのシンボルには正の値、ＮＡＫにはヌルのシンボル、およびＡＣＫ ＲＣのシンボルには負の値が使用されている。Ｆ−ＡＣＫＣＨ上でのオン−オフキーイング(すなわち、ＮＡＫを送らないこと)は、そうすることのコスト(要求される電力)が高過ぎるときは、基地局(とくに、スケジューリング基地局以外の基地局)に、ＡＣＫを送らないオプションを可能にする。ＡＣＫされていない正確に受信されたパケットは、後の時間点で再送をトリガする可能性が高くなるので、これは基地局に順方向リンクと逆方向リンクの容量間に折り合いを与える。
【０１０４】
Ｆ−ＡＣＫＣＨを送るための種々の技術が、本発明の範囲内で展開され得る。各移動局の個々の信号は、共通チャネルにおいて組み合され得る。例えば、複数の移動局のための確認応答は時分割多元化され得る。例示的な実施形態では、９６個までの移動局ＩＤが、１本のＦ−ＡＣＫＣＨ上で支援されることができる。追加のＦ−ＡＣＫＣＨが、追加の移動局ＩＤを支援するために展開され得る。
【０１０５】
別の例は、複数の移動局の複数の確認応答信号を１組の直交関数上へマップすることである。アダマール符号器は、１組の直交関数上へマッピングするための符号器の一例である。種々の他の技術も展開され得る。例えば、ウォルシュ符号または他の同様の誤り訂正符号も、情報ビットを符号化するのに使用され得る。個々の各サブチャネルが個々のチャネル利得をもつとき、異なるユーザが異なる電力レベルで伝送され得る。例示的なＦ−ＡＣＫＣＨは、１人のユーザ当たりに１つの専用の３つの値をもつフラグ（dedicated tri-valued flag）を運ぶ。各ユーザは、そのアクティブな組の中の全基地局からのＦ−ＡＣＫＣＨを監視する(または、その代わりに、シグナリングは、複雑さを低減するために、低減されたアクティブな組を定め得る)。
【０１０６】
種々の実施形態では、２本のチャネルは、それぞれ、１２８チップのウォルシュカバー系列によってカバーされる。一方のチャネルは、Ｉチャネル上で伝送され、他方は、Ｑチャネル上で伝送される。Ｆ−ＡＣＫＣＨの別の実施形態は、１つの１２８チップのウォルシュカバー系列を使用して、１９２までの移動局を同時に支援する。例示的な実施形態は、各３つの値をもつフラグごとに、１０ミリ秒の継続期間を使用する。
【０１０７】
見直しのために、移動局は、Ｒ−ＥＳＣＨの使用を要求する、伝送するためのパケットをもっているとき、Ｒ−ＲＥＱＣＨ上で要求し得る。基地局はＦ−ＧＣＨを使用して、承認で応答し得る。しかしながら、この動作は、若干コスト高であり得る。順方向リンクのオーバーヘッドを低減するために、Ｆ−ＡＣＫＣＨは、ＡＣＫ ＲＣフラグを送ってもよく、これは、スケジューリング基地局(または、多数の基地局からのソフトハンドオフの承認が支援されるときは、他のもの)による低コストでの(レート制御にしたがう)既存の承認を拡張する。この方法は、個別および共通の承認の両者のために働く。ＡＣＫ ＲＣは、１つの（または複数の）承認基地局から使用され、(レート制御にしたがう)同じＡＲＱチャネル上のもう１つ以上の符号器パケットに現在の承認を拡張する。
【０１０８】
図４に示されているように、アクティブな組の中の全基地局が、Ｆ−ＡＣＫＣＨを送り返すことを要求されるとは限らないことに注意すべきである。ソフトハンドオフでＦ−ＡＣＫＣＨを送る基地局の組は、アクティブな組のサブセットであり得る。Ｆ−ＡＣＫＣＨを伝送する例示的な技術は、２００３年６月３０日に出願された現在審査中の米国特許出願第１０／６１１，３３３号（“CODE DIVISION MULTIPLEXING COMMANDS ON A CODE DIVISION MULTIPLEXED CHANNEL”）に開示されており、これは、本発明の譲受人に譲渡されている。
【０１０９】
Ｆ−ＲＣＣＨ
順方向レート制御チャネル（Forward Rate Control Channel, F-RCCH）は、１つ以上の基地局から移動局へ伝送され、次の伝送のレート調節を知らせる。移動局は、Ｆ−ＡＣＫＣＨのアクティブな組またはそのサブセットの全メンバからの表示を監視するように割り当てられ得る。分かり易くするために、移動局によって監視されるＦ−ＲＣＣＨを送る基地局の組は、Ｆ−ＲＣＣＨのアクティブな組と呼ばれるであろう。Ｆ−ＲＣＣＨのアクティブな組は、レイヤ３(Ｌ３)のシグナリングによって送られ、これは、ハンドオフ指示メッセージ(Hand-Off Direction message, HDM)か、または当業者に知られている種々の他のやり方の何れかで、チャネル割り当て中に特定され得る。
【０１１０】
図６は、例示的なＦ−ＲＣＣＨを示す。Ｆ−ＲＣＣＨは、次の値をもつ３つの状態のチャネルであり、それらの値は、移動局が、次のパケットを、現在のパケットと同じレートのみで伝送できることを示すＲＡＴＥ ＨＯＬＤ、移動局が、現在のパケットの伝送レートを基準にして、次のパケットを伝送する最大レートを、確定的、または確率的に高めることができることを示すＲＡＴＥ ＩＮＣＲＥＡＳＥ、および移動局が、現在のパケットの伝送レートを基準にして、次のパケットを伝送する最大レートを、確定的に、または確率的に低減できることを示すＲＡＴＥ ＤＥＣＲＥＡＳＥである。
【０１１１】
Ｌ３のシグナリングは、移動局が、異なる基地局からのレート制御表示を組み合せるかどうか示し得る。これは、ＩＳ−２０００の改訂Ｃにおいて電力制御ビットで達成されるものに似ている。 したがって、表示には、例えば、ＲＡＴＥ ＣＯＭＢ ＩＮＤがあり、これは、チャネル割り当てのときに、ハンドオフメッセージ内で送られ、移動局が、異なる基地局からのＦ−ＲＣＣＨビットをソフトに組み合せるかどうか示す。当業者には、個別のＴＤＭチャネル、組み合されたＴＤＭ/ＣＤＭチャネル、または他のフォーマットを含む、Ｆ−ＲＣＣＨのようなチャネルを伝送するための多くのフォーマットがあることが分かるであろう。
【０１１２】
種々の実施形態では、種々のレート制御構成が可能である。例えば、全ての移動局は、１つのセクタごとの１つの表示によって制御され得る。その代わりに、各移動局は、各移動局に専用のセクタごとの個別の表示によって制御され得る。または、移動局のグループは、それら自身の割り当てられた表示によって制御され得る。このような構成は、同じ最高のＱｏＳの等級をもつ移動局が同じ表示を割り当てられることを可能にする。例えば、そのストリームだけが“ベストエフォート”であることを示されている全移動局は、１つの割り当てられた表示によって制御され、したがって、これらのベストエフォートのストリームの負荷を低減することを可能にし得る。
【０１１３】
さらに加えて、シグナリングは、移動局が、供給基地局からのＦ−ＲＣＣＨの表示のみか、またはＦ−ＲＣＣＨのアクティブな組の中の全基地局からのＦ−ＲＣＣＨの表示のみに注意を払うように、移動局を構成するために使用され得る。移動局が供給基地局からの表示のみを監視していて、ＲＡＴＥ ＣＯＭＢ ＩＮＤが、多数の基地局からの表示が同じであることを明示するとき、移動局は、供給基地局と同じグループ内の全ての表示を、決定前に組み合せ得ることに注意すべきである。常に使用されている特有のレート制御表示をもつ基地局の組は、Ｆ−ＲＣＣＨの現在の組と呼ばれるであろう。したがって、移動局が供給基地局からのＦ−ＲＣＣＨの表示のみに注意を払うように、移動局が構成されているとき、Ｆ−ＲＣＣＨの現在の組のサイズは１である。
【０１１４】
Ｆ−ＲＣＣＨの使用の規則は、基地局によって調節され得ると考えられる。１つのメンバのＦ−ＲＣＣＨの現在の組についての移動局のための規則の例示的な組を次に示す。ＲＡＴＥ ＨＯＬＤが受信されるとき、移動局はそのレートを変更しない。ＲＡＴＥ ＩＮＣＲＥＡＳＥが受信されるときは、移動局は、そのレートを１ずつ(すなわち、１レートレベルずつであり、その例は、上述の表１の中で詳しく記載されている)高める。ＲＡＴＥ ＤＥＣＲＥＡＳＥが受信されるときは、移動局は、そのレートを１ずつ低減する。移動局は、これらの表示を、状況が指示するときのみ(すなわち、レート制御がアクティブであるＡＣＫ処理の結果としての動作であり、別途詳しく記載される)監視することに注意すべきである。
【０１１５】
Ｆ−ＲＣＣＨの現在の組のメンバについての移動局のための規則の例示的な組を次に示す。レートを１ずつ増加/低減する単純な規則は変更される。ＡＣＫ ＳＴＯＰが受信されるとき、移動局は自律レートに戻る。そうではなく、何れかの表示がＲＡＴＥ ＤＥＣＲＥＡＳＥであるとき、移動局はそのレートを１ずつ低減する。表示がＲＡＴＥ ＤＥＣＲＥＡＳＥでなく、少なくとも１つの基地局が、(ＡＣＫ処理の結果としての)ＲＡＴＥ ＨＯＬＤを示すレート制御の動作をもつとき、移動局は同じレートを維持する。表示がＲＡＴＥ ＤＥＣＲＥＡＳＥでなく、基地局がレート制御およびＲＡＴＥ ＨＯＬＤを示さず、少なくとも１つの基地局がレート制御の動作およびＲＡＴＥ ＩＮＣＲＥＡＳＥの表示をもつとき、移動局は、そのレートを１ずつ増加する。
【０１１６】
例示的な組み合された承認、ＡＲＱ、およびレート制御コマンドの実施形態
上述で紹介された態様のいくつかを要約すると、移動局は、自律伝送を行うことを認められ得るが、これは、恐らくは、スループットを制限するが、低遅延を可能にする。このような場合に、移動局は、最大のＲ−ＥＳＣＨ Ｔ/Ｐ比、すなわちＴ/ＰＭａｘ ａｕｔｏまでを要求せずに、伝送し得る。Ｔ/ＰＭａｘ ａｕｔｏは、基地局によってシグナリングによって設定され、調節され得る。
【０１１７】
スケジューリングは、１つ以上のスケジューリング基地局において判断され、逆方向リンク容量の割り振りは、Ｆ−ＧＣＨ上で比較的に高レートで伝送される承認によって行われ得る。さらに加えて、レート制御コマンドは、低オーバーヘッドで、以前に承認された伝送または自律伝送を変更し、逆方向リンク容量の割り振りを調整するのに使用され得る。したがって、スケジューリングは、逆方向リンクの負荷を厳しく制御し、したがって、音声品質(Ｒ−ＦＣＨ)、ＤＶのフィードバック(Ｒ−ＣＱＩＣＨ)、およびＤＶの確認応答 (Ｒ−ＡＣＫＣＨ)を保護するために採用され得る。
【０１１８】
個別の承認は、移動局の伝送の詳細な制御を可能にする。移動局は、スループットを最大化する一方で、必要なサービスレベルを維持する幾何学的配置とＱｏＳとに基づいて、選択され得る。共通の承認は、とくに、低い幾何学的配置の移動局に対して、効率的な通知を可能にする。
【０１１９】
Ｆ−ＡＣＫＣＨチャネルは、Ｆ−ＲＣＣＨチャネルと組み合されて、低コストで既存の承認を拡張する“ＡＣＫおよび継続”コマンドを効率的に実施する。(既に記載され、また後で詳しく記載されるように、継続はレート制御され得る)。これは、個別の承認および共通の承認の両者で行われる。１ｘＥＶ-ＤＶの逆方向リンクのような共有資源上でのスケジューリング、承認、および伝送のための種々の実施形態および技術は、２００３年８月２１日に出願された現在審査中の米国特許出願第１０／６４６，９５５号（“SCHEDULED AND AUTONOMOUS TRANSMISSION AND ACKNOWLEDGEMENT”）に開示されており、これは、本発明の譲受人に譲渡され、本明細書において参照によって取り上げられている。
【０１２０】
図７は、１つ以上の基地局が、１つ以上の移動局からの要求および伝送に応答して、容量を割り振るように展開し得る例示的な方法700を示している。示されているブロックの順序は、単なる一例であり、本発明の範囲を逸脱しないならば、種々のブロックの順序は、交換されるか、示されていない他のブロックと組み合され得ることに注意すべきである。そのプロセスは、ブロック710から始まる。基地局は、１つ以上の移動局によって伝送され得る伝送の要求を受信する。方法700は無限に反復され得るので、受信されたが、承認されていない以前の要求があるかもしれず、要求にしたがう伝送の必要量を推定するために、それは新しい要求と組み合され得る。
【０１２１】
ブロック720では、１つ以上の移動局が、基地局によって受信されるサブパケットを伝送し得る。これらの伝送されたサブパケットは、以前の承認にしたがって(以前のレート制御コマンドで潜在的に修正されて)、または自律的に（同じく、以前のレート制御コマンドで潜在的に修正されて）伝送されたかもしれない。自律伝送の数、登録された移動局の数、および／または他の要素は、自律伝送に対する要請の量を推定するのに使用され得る。
【０１２２】
ブロック730では、基地局は、受信されたサブパケット（オプションで、それぞれの以前に受信されたサブパケットとソフトに組み合される）を復号し、パケットが誤りなく受信されたかどうか判断する。これらの決定は、それぞれの送信移動局へ肯定または否定の確認応答を送るのに使用されるであろう。ＨＡＲＱがＲ−ＥＳＣＨの上でのパケット伝送に使用され得ることを再び参照する。すなわち、パケットは、少なくとも１つの基地局によって正確に受信されるまで、ある特定回数まで伝送され得る。各フレーム境界では、各基地局はＲ−ＲＩＣＨフレームを復号し、Ｒ−ＥＳＣＨ上の伝送フォーマットを判断する。基地局は、現在のＲ−ＲＩＣＨフレームおよび以前のＲ−ＲＩＣＨフレームを使用して、この判断を行ってもよい。その代わりに、基地局は、逆方向の第２のパイロットチャネル(Reverse Secondary Pilot Channel, R-SPICH)またはＲ−ＥＳＣＨ、あるいはこの両者から抽出された他の情報を使用して判断を行ってもよい。判断された伝送フォーマットで、基地局は、以前に受信されたサブパケットを使用して、適宜、Ｒ−ＥＳＣＨ上のパケットを復号することを試みる。
【０１２３】
ブロック740では、基地局はスケジューリングを行う。何れかのスケジューリング技術が展開され得る。基地局は、共有資源(この例では、逆方向リンクの容量)を割り振るスケジューリングを行うために、要求にしたがう伝送、予期される自律伝送、現在のチャネル条件の推定、および／または種々の他のパラメータの要請を考慮に入れ得る。スケジューリングは、種々の移動局のために、種々の形式をとり得る。例えば、承認(要求にしたがう割り振り、以前の承認の増加、または以前の承認の低減)を行うこと、以前に承認されたレートまたは自律伝送を増加、低減、または保持するレート制御コマンドの生成、あるいは(移動局を自律伝送に所属させる)要求の無視を含む。
【０１２４】
ステップ750では、基地局は、各移動局ごとの受信された伝送を処理する。これは、機能の中でも、とりわけ、受信されたサブパケットに確認応答すること、および伝送の要求に応答して、承認を条件付きで生成することを含み得る。
【０１２５】
図８は、承認、確認応答、およびレート制御コマンドを生成する例示的な方法750を示している。これは、図７に示されている例示的な方法700の展開に適しており、当技術において普通の技能をもつものには容易に明らかになるように、他の方法と共に使用するために適応させられ得る。既に記載されたように、方法750は、各アクティブな移動局に対して、各々が方法700を行っている間に、反復され得る。
【０１２６】
決定ブロック805において、現在処理されている移動局のサブパケットが、受信されなかったときは、ブロック810へ進む。確認応答は不要であり、レート制御コマンドは発行されない。Ｆ−ＡＣＫＣＨもＦ−ＲＣＣＨも伝送される必要がなく、両者のシンボルはＤＴＸされる(すなわち、伝送されない)。決定ブロック815において、要求が受信されたときは、決定ブロック820へ進む。そうでないときは、プロセスは終了し得る。
【０１２７】
決定ブロック820において、スケジューリング中に、この移動局に対する承認が判断されると、ブロック825に進み、適切なＦ−ＧＣＨに対する承認を伝送する。その後で、プロセスは終了し得る。移動局は、この承認にしたがって次の適切なフレーム中に伝送し得る(タイミングの例は、図１０ないし１２に関連して、別途詳しく記載される)。
【０１２８】
決定ブロック805に戻って、移動局からサブパケットが受信されたときは、プロセスは、決定ブロック830に進む。(サブパケットおよび要求を受信することができ、その場合は、移動局は、決定ブロック805から２つに枝分かれし得るが、説明を分かり易くするために詳細は示されていないことに注意すべできある)。
【０１２９】
決定ブロック830において、受信されたサブパケットが正確に復号されると、ＡＣＫが生成されるであろう。決定ブロック835に進む。(レート保持、すなわち“継続”を含む)レート制御が希望されるときは、ブロック845に進む。レート制御が希望されないときは、ブロック840に進む。ブロック840では、ＡＣＫ ＳＴＯＰがＦ−ＡＣＫＣＨ上で伝送される。Ｆ−ＲＣＣＨは伝送される必要がない、すなわち、ＤＴＸが生成され得る。このときに承認が生成されないときは、移動局は、自律伝送に所属させられることになる(または、自律伝送が使用可能でないか、または展開されていないときは、終了しなければならない)。その代わりに、新しい承認が発行され、終了コマンドを無視してもよい。決定ブロック820に進み、既に記載されたように、この決定を処理する。
【０１３０】
ブロック845では、レート制御が示された。したがって、ＡＣＫ ＲＣがＦ−ＡＣＫＣＨ上で伝送されるであろう。決定ブロック850に進む。増加が希望されるときは、Ｆ−ＲＣＣＨ上でＲＡＴＥ ＩＮＣＲＥＡＳＥを伝送する。その後で、プロセスは終了し得る。増加が希望されないときは、決定ブロック860に進む。決定ブロック860において、低減が希望されるときは、Ｆ−ＲＣＣＨ上でＲＡＴＥ ＤＥＣＲＥＡＳＥを伝送する。その後で、プロセスは終了し得る。そうでないときは、Ｆ−ＲＣＣＨ上でＲＡＴＥ ＨＯＬＤを伝送する。この例では、保持（hold）は、ＤＴＸによって示される。その後で、プロセスは終了し得る。
【０１３１】
決定ブロック830に戻って、受信されたサブパケットが正確に復号されなかったときは、ＮＡＫが生成されるであろう。ブロック875へ進み、Ｆ−ＡＣＫＣＨ上でＮＡＫを伝送する。この例では、ＮＡＫはＤＴＸによって示される。決定ブロック880に進み、受信されたサブパケットが最後のサブパケットである(すなわち、サブパケット再送の最大数に達した)かどうかを判断する。そうでないときは、この例では、移動局は、以前の伝送フォーマットにしたがって再送し得る。ブロック895に示されているように、ＤＴＸが、Ｆ−ＲＣＣＨ上で伝送され得る。(別の実施形態では、この場合に別のシグナリングを行うことがあり、その例は、別途詳しく記載される)。その後で、プロセスは終了し得る。
【０１３２】
受信され、ＮＡＫされたサブパケットが最後のサブパケットであるとき、決定ブロック880から決定ブロック885へ進み、(保持を含む)レート制御が希望されるかどうか判断する。これは、低いオーバーヘッドで、以前の承認または自律の伝送(もしあるならば、以前のレート制御を含む)を拡張する例示的な技術である。レート制御が希望されないとき、ＤＴＸは、Ｆ−ＲＣＣＨにおいて生成される。この例では、移動局は次のサブパケットを伝送するであろう。決定ブロック835と同様に、移動局のために新しい承認が生成されないときは、移動局は、(使用可能であるときは)自律伝送に所属させられるであろう。その代わりに、移動局に使用可能な伝送を要求する新しい承認が、生成されてもよい。決定ブロック820に進み、既に記載されたように、この決定を行う。
【０１３３】
決定ブロック885において、レート制御が希望されるときは、決定ブロック850に進む。既に記載されたように、Ｆ−ＲＣＣＨ上での伝送のために、増加、低減、または保持が生成され得る。その後で、プロセスは終了し得る。
【０１３４】
以上のことをまとめると、パケットが正確に受信されると、基地局は肯定の確認応答を送って、条件付きで、レート制御メッセージを移動局へ送り得る。
【０１３５】
基地局は、(Ｆ−ＡＣＫＣＨ上で)ＡＣＫ ＳＴＯＰを送って、パケットが伝達されたことを知らせ、移動局は、次の伝送のために自律モードに戻る。基地局は、希望されるときは、新しい承認も送り得る。移動局は、次の伝送のための承認されたレートまでで伝送し得る。何れの場合においても 、Ｆ−ＲＣＣＨはＤＸＴされる。1つの実施形態では、供給 (または、承認)基地局のみが、承認を生成し得る。別の実施形態では、１つ以上の基地局が承認を生成し得る(このオプションを扱う詳細は、別途詳しく記載される)。
【０１３６】
基地局は、(Ｆ−ＡＣＫＣＨ上で)ＡＣＫ ＲＣおよび（Ｆ−ＲＣＣＨ上で）ＲＡＴＥ ＨＯＬＤを送って、パケットが伝送されたことと、移動局が次のパケットを伝送し得る最大レートが、現在のパケットの伝送レートと同じであることとを知らせ得る。
【０１３７】
基地局は、(Ｆ−ＡＣＫＣＨ上で)ＡＣＫ ＲＣおよび(Ｆ−ＲＣＣＨ上で)ＲＡＴＥ ＩＮＣＲＥＡＳＥを送って、パケットが伝達されたことと、移動局が、現在のパケットの伝送レートを基準にして、次のパケット伝送のための最大レートを増加し得ることとを知らせ得る。移動局は、基地局および移動局の両者にとって、既知のある特定の規則にしたがって、レートを増加し得る。増加は、確定的であっても、または確率的であってもよい。当業者には、レートを増加させるための無数の規則が分かるであろう。
【０１３８】
基地局は、(Ｆ−ＡＣＫＣＨ上で)ＡＣＫ ＲＣおよび(Ｆ−ＲＣＣＨ上で)ＲＡＴＥ ＤＥＣＲＥＡＳＥを送って、パケットが伝達されたことと、移動局が、現在のパケットの伝送レートを基準にして、次のパケット伝送の最大レートを低減するべきであることとを知らせ得る。移動局は、基地局と移動局の両者にとって既知の、ある特定の規則にしたがって、レートを低減し得る。低減は、確定的であっても、または確率的であってもよい。当業者には、レートを低減するための無数の規則が分かるであろう。
【０１３９】
パケットが基地局によって成功で受信されず、そのパケットが再送され得る(すなわち、最後のサブパケットでない)とき、基地局は、Ｆ−ＡＣＫＣＨ上でＮＡＫを送る。この例では、Ｆ−ＲＣＣＨはＤＴＸされることに注意すべきである。
【０１４０】
パケットに対して、これ以上の再送が許可されない(すなわち、最後のサブパケットである)とき、基地局が取り得る可能な動作を次に示す。基地局は、(Ｆ−ＡＣＫＣＨ上の)ＮＡＫを、Ｆ−ＧＣＨ上の承認メッセージと同時に送って、パケットが伝達されなかったことと、移動局が次の伝送のための承認されたレートまでで伝送し得ることとを知らせ得る。この場合に、Ｆ−ＲＣＣＨはＤＴＸされる。１つの実施形態では、供給(または承認)基地局のみが、承認を生成し得る。別の実施形態では、1つ以上の基地局が承認を生成し得る(このオプションを扱う詳細は、別途詳しく記載される)。
【０１４１】
基地局は、さらに、(Ｆ−ＡＣＫＣＨ上の)ＮＡＫと(Ｆ−ＲＣＣＨ上の)ＲＡＴＥ ＨＯＬＤとを送って、パケットが伝送されなかったことと、移動局が次のパケットを伝送し得る最大レートが、現在のパケットの伝送レートと同じであることとを知らせ得る。
【０１４２】
また、基地局は、(Ｆ−ＡＣＫＣＨ上の)ＮＡＫと(Ｆ−ＲＣＣＨ上の)ＲＡＴＥ ＩＮＣＲＥＡＳＥを送って、パケットが伝送されなかったことと、移動局が、現在のパケットの伝送レートを基準にして、次のパケット伝送の最大レートを増加し得ることとを知らせ得る。移動局は、基地局と移動局の両者にとって既知のある規則にしたがって、レートを増加し得る。増加は、確定的であっても、または確率的であってもよい。
【０１４３】
基地局は、さらに、(Ｆ−ＡＣＫＣＨ上の)ＮＡＫと(Ｆ−ＲＣＣＨ上の)ＲＡＴＥ ＤＥＣＲＥＡＳＥとを送って、パケットが伝達されなかったことと、移動局が、現在のパケットの伝送レートを基準にして、次のパケット伝送の最大レートを低減すべきであることとを知らせ得る。移動局は、基地局と移動局の両者にとって既知のある規則にしたがって、レートを低減し得る。低減は、確定的であっても、または確率的であってもよい。
【０１４４】
別の実施形態(図８には詳しく示されていない)では、ＮＡＫおよび終了の代わりが生成され得る。例えば、上述のシナリオでは、ＮＡＫに対応する、Ｆ−ＲＣＣＨ上のＤＴＸは、“ＮＡＫおよび保持（NAK-and-hold）”と区別できない。終了（または、自律伝送へ逆戻り）を強要するコマンドをもつことが希望されるとき、基地局は、ＮＡＫおよびレート制御を使用して、最後のサブパケットの前に、最後のサブパケットにおけるレートの保持 (あるいは、増加または低減)が終了を意味することを示し得る。例えば、レート制御コマンド(すなわち、ＲＡＴＥ ＩＮＣＲＥＡＳＥ、ＲＡＴＥ ＤＥＣＲＥＡＳＥ、またはＲＡＴＥ ＨＯＬＤ)の中の何れか１つが、この特別な場合における終了を意味するために割り当てられ得る。移動局は、最後のサブパケットがいつ伝送されたかを知り、その後で、それにしたがって、レート制御コマンドをパースすることができる。基地局が、ＮＡＫの際に、終了の後に、最後のサブパケット伝送が続くかどうかを知ると、選択されたレート制御コマンドは、以前のサブパケットのＮＡＫで発行され得る。移動局は、識別されたレート制御コマンドを、(最後ではない)サブパケットのＮＡＫと共に受信すると、最後のサブパケットに対するＮＡＫ(および、例えば、ＲＡＴＥ ＨＯＬＤ)は、以前の承認を無効にすることを意味し、移動局が自律伝送に戻らなければならないことが分かるであろう。最後のサブパケットのＮＡＫと共に伝送された、この目的に使用されていないレート制御コマンド(すなわち、ＲＡＴＥ ＩＮＣＲＥＡＳＥまたはＲＡＴＥ ＤＥＣＲＥＡＳＥ)は、依然として使用可能である。その代わりに、承認を、０（または、０未満）のレートで、最後のＮＡＫと共に伝送すると、追加のオーバーヘッドが必要になるであろう。当業者は、他の可能性をもつ“ＮＡＫおよび終了（NAK-and-Stop）”の見込みにしたがって、これらの代わりを容易に交換するであろう。したがって、必要なオーバーヘッドは、種々のイベントの可能性に基づいて最適化され得る。
【０１４５】
図９は、移動局が、承認、確認応答、およびレート制御コマンドを監視し、応答する例示的な方法900を示している。この方法は、１つ以上の移動局が、既に記載した方法700を採用する１つ以上の基地局、および他の基地局の実施形態と共に使用されるときに展開するのに適している。
【０１４６】
プロセスは、ブロック910で始まる。移動局は、Ｆ−ＧＣＨ、Ｆ−ＡＣＫＣＨ、およびＦ−ＲＣＣＨを監視する。既に記載されたように、種々の実施形態において、移動局は、これらのチャネルの１本以上を監視し得ることに注意すべきである。例えば、多数の承認チャネルがあると、各移動局はそれらの1本以上を監視し得る。これらのチャネルの各々は、１つの基地局から、または移動局がソフトハンドオフであるときは、２つ以上の基地局から受信され得ることにも注意すべきである。チャネルは、多数の移動局に宛てられたメッセージまたはコマンドを組み込んでいて、したがって、移動局は、それに特別に宛てられたメッセージまたはコマンドを抽出し得る。
【０１４７】
移動局が、条件付きで１本以上の制御チャネルを監視することを可能にするために、他の規則が使用され得る。例えば、既に記載されたように、ＡＣＫ ＳＴＯＰが発行されると、Ｆ−ＲＣＣＨは伝送されない。したがって、このような場合に、ＡＣＫ ＳＴＯＰが受信されると、移動局はＦ−ＲＣＣＨを監視する必要がない。移動局が承認メッセージまたはレート制御コマンド、あるいはこの両者を探すのは、移動局が、これらのメッセージによって応答され得る要求を送ったときのみであるという規則が特定され得る。
【０１４８】
図９の次の記載では、移動局がサブパケットを以前に伝送し、それに対する(潜在的な承認またはレート制御コマンドを含む)確認応答の応答が期待されていると仮定する。要求が以前に承認されていないときは、移動局は、以前に伝送された要求に応答する承認を、引き続き監視し得る。当業者は、この状況を説明するために、方法900を容易に適応させるであろう。これら、および他の潜在的な移動局の処理ブロックは、説明を分かり易くするために省略されている。
【０１４９】
最初に、決定ブロック915において、Ｆ−ＡＣＫＣＨの処理が始まる。移動局は、それが監視する全てのＦ−ＡＣＫＣＨチャネル上の情報を抽出する。Ｆ−ＡＣＫＣＨは、移動局とそのＦ−ＡＣＫＣＨのアクティブな組の全メンバとの間にあり得ることを再び参照する。Ｌ３シグナリングによって特定されるように、Ｆ−ＡＣＫＣＨコマンドのいくつかは、ソフトに組み合され得る。移動局が、少なくとも１つの肯定の確認応答、すなわち、(Ｆ−ＡＣＫＣＨ上の)ＡＣＫ ＲＣまたはＡＣＫ ＳＴＯＰを受信するとき、現在のパケットは正確に受信され、追加のサブパケットが伝送される必要はない。もしあるならば、次のパケット伝送の許容レートが判断される必要がある。
【０１５０】
決定ブロック915において、ＡＣＫ ＳＴＯＰが受信されると、移動局には、以前に伝送されたサブパケットが正確に受信されたことと、レート制御コマンドが復号される必要がないこととが分かる。
【０１５１】
決定ブロック920では、移動局は、承認がＦ−ＧＣＨ上で受信されたかどうか判断する。そうであるときは、ブロック930に示されているように、移動局は、承認にしたがって次のパケットを伝送する。１つの実施形態では、１つのみの承認基地局が承認を行う。ＡＣＫ ＳＴＯＰおよび承認メッセージが基地局から受信されると、移動局は、同じＡＲＱチャネル上で、新しいパケットを、承認されたレート以下のレートで伝送する。
【０１５２】
別の実施形態では、２つ以上の基地局が承認を送り得る。基地局が承認を調整して、同一のメッセージを送るときは、移動局は、これらの承認をソフトに組み合せ得る。異なる承認が受信される場合を扱う種々の規則が展開され得る。一例として、各承認基地局に対応するセルにおける過度の干渉を避けるために、移動局に、受信された承認に示されている最低レートよりも低いレートで伝送させる (これは、伝送が自律モードに戻るべきであることを示す、対応する承認のないＡＣＫ ＳＴＯＰを含む）。当業者には、種々の他の代わりが分かるであろう。承認が決定ブロック920において受信されなかったときは、ブロック925に示さているように、移動局は自律レートに戻らなければならない。その後で、プロセスは終了し得る。
【０１５３】
決定ブロック915に戻って、ＡＣＫ ＳＴＯＰが受信されないときは、決定ブロック940に進む。ＡＣＫ ＲＣが受信されると、移動局は、もしあるならば、肯定の確認応答が受信される基地局の対応するＦ−ＲＣＣＨを監視する。Ｆ−ＲＣＣＨのアクティブな組は、Ｆ−ＡＣＫＣＨのアクティブな組のサブセットであるので、基地局と移動局との間に、Ｆ−ＲＣＣＨがないかもしれないことに注意すべきである。移動局が多数の基地局からＦ−ＡＣＫＣＨを受信するとき、対応するメッセージが対立し得ることに、さらに注意すべきである。例えば、１つ以上のＡＣＫ ＳＴＯＰコマンドが受信され得るか、１つ以上のＡＣＫ ＲＣコマンドが受信され得るか、１つ以上の承認が受信され得るか、またはその何れかの組み合せがある。当業者には、何れかの可能性に適合するように実施するための種々の規則が分かるであろう。例えば、移動局は、可能な限り低い伝送許可(これは、承認のないＡＣＫ ＳＴＯＰ、低減するＡＣＫ ＲＣ、またはより低い値の承認からであり得る)を判断し、それにしたがって伝送し得る。これは、“オア オブ ダウン（OR-of-Downs）”規則として知られている技術に似ている。このような技術は、隣り合うセルに対する過度の干渉を厳しく回避するために使用され得る。そうでなければ、１つ以上の基地局がそれらに割り当てられた優先度をもち、その結果、１つ以上の基地局が、(恐らくは、付与された条件で)他のものに勝つ能力をもち得る。例えば、スケジューリング(または、承認)基地局は、ソフトハンドオフで、他の基地局よりも、いくらの優先度をもち得る。他の規則も予想される。(１つ以上のＮＡＫが受信され得るが、移動局は再送する必要がないことを再び確認する。しかしながら、移動局は、希望であれば、同様のやり方で、ＮＡＫしている基地局から、レート制御コマンドまたは承認を採用してもよい)。本明細書における説明を容易にするために、移動局が、ＡＣＫ ＳＴＯＰ、ＡＣＫ ＲＣ、ＮＡＫ、または承認が受信されるかを判断すると言われるとき、それは、受信された多くのコマンドに、規則の希望の組を適用する結果であってもよく、結果は、識別されたコマンドである。
【０１５４】
ＡＣＫ ＲＣが受信されたときは、決定ブロック945に進み、どのタイプのレート制御コマンドにしたがうべきかを判断し始める。増加が示されるときは、ブロック950に進む。次の伝送は、現在のレートよりも増加したレートで、同じＡＲＱチャネル上で伝送され得る。その後で、プロセスは終了し得る。ここでも、増加は、確定的であっても、または確率的であってもよい。さらに加えて、ＲＡＴＥ ＩＮＣＲＥＡＳＥは、必ずしも、直ちにレート増加しないかもしれないが、移動局からの伝送レートを将来増加するか(すなわち、移動局においてクレジットのようなアルゴリズム（credit-like  algorithm）が使用される)、または、ＲＡＴＥ ＩＮＣＲＥＡＳＥは、複数のレートにまたがる増加になり得る。例示的なクレジットアルゴリズムでは、移動局は、内部の“バランス／クレジット”パラメータを維持する。それがＲＡＴＥ ＩＮＣＲＥＡＳＥを受信するが、(電力またはデータの何れかが切れているために)そのレートを増加することができないときは常に、移動局はパラメータを増加する。移動局に電力またはデータが使用可能になるとき、これは、データレートを選択するのに、記憶された“クレジット／バランス”を使用し得る。レートを増加する種々のやり方は、当業者に明らかであるだろう。
【０１５５】
決定ブロック945において、増加が示されないときは、決定ブロック955に進み、低減が示されるかどうか判断する。低減が示されるときは、ブロック960に進む。次の伝送は、現在のレートよりも低減されたレートで、同じＡＲＱチャネル上で伝送され得る。その後で、プロセスは終了し得る。ここでも、低減は、確定的であっても、または確率的であってもよい。さらに加えて、ＲＡＴＥ ＤＥＣＲＥＡＳＥは、必ずしも、直ちにレート低減にしないかもしれないが、移動局からの伝送レートを将来低減するか(すなわち、移動局おいてクレジットのようなアルゴリズムが使用される)、または、ＲＡＴＥ ＤＥＣＲＥＡＳＥは、複数のレートにまたがる増加になり得る。例示的なクレジットアルゴリズムがＲＡＴＥ  ＤＥＣＲＥＡＳＥの文脈の中で使用されるとき、移動局がＲＡＴＥ ＤＥＣＲＥＡＳＥを得るが、何らかの理由(例えば、緊急のデータを送る必要がある)でそれにしたがわないとき、それは否定のクレジットを得て、この否定のクレジットは、ある意味で、後で払い戻される必要がある。レートを低減する種々のやり方は、当業者に明らかになるであろう。
【０１５６】
増加も、低減も示されないときは、ＲＡＴＥ ＨＯＬＤが受信される。ブロック965に示されているように、移動局は、現在のパケットのレートに等しい最大レートで次のパケットを伝送し得る。その後で、プロセスは終了し得る。
【０１５７】
決定ブロック940に戻って、何れのタイプのＡＣＫも識別されないときは、ＮＡＫが受信されたと判断されることになる。決定ブロック970において、パケットの再送が依然として可能である (すなわち、現在のサブパケットが、最後のサブパケットでない) ときは、ブロック980に示されているように、移動局は、同じＡＲＱチャネル上のサブパケットを、インクリメントされたサブパケットＩＤと共に再送する。
【０１５８】
決定ブロック970において、現在のパケットが最後のサブパケットであったとき、移動局はパケットの再送を切らしている。決定ブロック975に進み、承認が受信されたかどうかを(ブロック920に関して既に記載されたのと同様のやり方で)判断する。承認メッセージが (既に記載されているように、単一の、または２つ以上の基地局からかどうかについて) 移動局に示されると、移動局は、承認されたレート以下のレートで、同じＡＲＱチャネル上で新しいパケットを伝送し得る。ブロック930に進み、これは、既に記載されている。
【０１５９】
決定ブロック975において、承認が受信されなかったとき、移動局はＦ−ＲＣＣＨのアクティブな組を監視し、レート制御コマンドを得て、同じＡＲＱチャネル上で次のパケット伝送のために許可された最大レートを決定し得る。既に記載されたように、２つ以上のレート制御コマンドが受信されるとき、レートが選択され得る。決定ブロック945に進み、引き続き、既に記載されたように行われる。
【０１６０】
種々の他の技術は、移動局の例示的な実施形態によって採用され得る。移動局は、パケットの消去(すなわち、最後のサブパケット後に肯定の確認応答がないもの)の数を監視し得る。測定は、連続するパケットの消去の数を数えるか、ウィンドウ(すなわち、スライディングウィンドウ)内の消去されたパケットの数を数えることによって成され得る。移動局は、パケットが消去され過ぎたことを認識すると、レート制御コマンドが別のコマンド(すなわち、ＲＡＴＥ ＨＯＬＤまたはＲＡＴＥ ＩＮＣＲＥＡＳＥ)を示しても、その伝送レートを低減し得る。
【０１６１】
１つの実施形態では、承認メッセージは、レート制御ビットより高い優先順位をもち得る。その代わりに、承認メッセージは、レート制御ビットと同じ優先順位で取り扱われてもよい。このような場合は、レート決定は修正され得る。例えば、承認メッセージが移動局に示されないとき、次の伝送レートは“オア オブ ダウン”または同様の規則を使用して、全てのレート制御コマンド(ＲＡＴＥ ＩＮＣＲＥＡＳＥ、ＲＡＴＥ ＨＯＬＤ、ＲＡＴＥ ＤＥＣＲＥＡＳＥ、およびＡＣＫ ＳＴＯＰ)から判断される。承認が受信されるときも、次の伝送レートは、“オア オブ ダウン”または同様のやり方を使用して、全てのレート制御コマンド(ＲＡＴＥ ＩＮＣＲＥＡＳＥ、ＲＡＴＥ ＨＯＬＤ、ＲＡＴＥ ＤＥＣＲＥＡＳＥ、およびＡＣＫ ＳＴＯＰ)から判断され、その結果は、承認されたレート、および選択されたより低いレートと比較される。
【０１６２】
シグナリングは、移動局が、供給基地局からのＦ−ＲＣＣＨ表示のみか、またはＦ−ＲＣＣＨのアクティブな組内の全ての基地局からのＦ−ＲＣＣＨ表示のみを監視するように、移動局を構成するために展開され得る。例えば、ＲＡＴＥ ＣＯＭＢ ＩＮＤが、レート制御コマンドが、多数の基地局からのものと同じであることを明示し得るとき、移動局は、決定する前に、識別されたグループにおける全ての表示を組み合せ得る。任意のときに使用されている特殊な表示の数は、Ｆ−ＲＣＣＨの現在の組として示され得る。一例において、移動局は、供給基地局からのＦ−ＲＣＣＨ表示のみを監視するように構成され、その場合は、Ｆ−ＲＣＣＨの現在の組のサイズは１である。
【０１６３】
さらに加えて、既に記載されたように、種々の規則は、Ｆ−ＲＣＣＨに関するコマンドに応答してレートを調節するために展開され得る。これらの規則の何れも、基地局からのシグナリングによって調節され得る。一例において、移動局がそのレートを増加するか、または低減するか、およびその量を判断するのに、確率およびステップサイズの組が使用され得る。これらの確率および可能なレートのステップサイズは、必要なときに、シグナリングによって更新され得る。
【０１６４】
方法900は、既に記載された方法750を採用して、基地局のために記載された種々の代わりを含むように適応され得る。例えば、１つの実施形態では、Ｆ−ＲＣＣＨ上のＤＴＸおよびＮＡＫがレート保持を示すように、ＮＡＫおよび終了コマンドは明示的に定義されていない。別の実施形態では、ＮＡＫおよび終了機能は、方法750について上述で記載された別の技術の何れかに応答して、展開され得る。さらに加えて、方法750に関して既に示されたように、例示的な実施形態では、レート制御またはレート変更に基づく承認は、パケット境界において実行される。記載された方法は、サブパケット間のレート変更を取り入れるために修正され得ることが期待される。
【０１６５】
当業者には、本明細書の教示に照らして、本明細書に記載された手続きおよび特徴の中の何れが種々の方法で組み合され得ることが分かるであろう。例えば、移動局は、第１の基地局のみによって承認を介して制御され得るが、他の基地局によってレート制御ビットを介しては制御されない。その代わりに、移動局は、全ての基地局から、またはそのアクティブな組の中の基地局のサブセットから承認を介して制御されることもある。いくつかのＦ−ＧＣＨは、ソフトに組み合され得る。移動局が動作するモードは、チャネル割り当て中にＬ３シグナリングを介して、またはパケットデータ呼中に他のメッセージを介してセットアップされ得る。
【０１６６】
別の例として、パケットが正しく受信されると、第１の基地局はＡＣＫ ＳＴＯＰまたはＡＣＫ ＲＣの何れかを送り得る。レート制御コマンドが使用されないと、ＡＣＫ ＲＣを使用して、このモードの“ＡＣＫおよび継続（ACK and continue）”を意味し得る。この文脈では、“ＡＣＫおよび継続”は、移動局が、確認応答されているパケットと同じレートで新しいパケットを伝送し得ることを示している。以前のように、ＡＣＫ ＳＴＯＰが送られると、基地局は、ＭＳに指定されたＦ−ＧＣＨ上でオーバーライディング承認を送り得る。この例では、対応する承認がＮＡＫで伝送されない限り、ＮＡＫは“ＮＡＫおよび終了”を示すであろう。このシナリオでは、ＡＣＫ ＲＣがレート制御コマンドを伴わず、“ＡＣＫおよび継続”を示すとき、第１の基地局以外の基地局もＡＣＫ ＳＴＯＰまたはＡＣＫ ＲＣを送る。
【０１６７】
記載された特徴をもつサブセットを取り入れている別の例示的な特別なモードでは、移動局は、(そのＦ−ＲＣＣＨのアクティブな組内の基地局から)レート制御ビットのみによって制御され得る。このモードは、チャネル割り当て中にＬ３シグナリングを介して、またはパケットデータ呼中の他のメッセージを介して、セットアップされ得る。このモードでは、パケットが適切に受信されないと、基地局は、ＮＡＫを送る。パケットが正確に受信されると、基地局は、Ｆ−ＲＣＣＨ（ＲＡＴＥ ＨＯＬＤ、ＲＡＴＥ ＩＮＣＲＥＡＳＥ、またはＲＡＴＥ ＤＥＣＲＥＡＳＥ）と共に、ＡＣＫ ＳＴＯＰまたはＡＣＫ ＲＣの何れかを送る。最後のサブパケットの後のＮＡＫは、Ｆ−ＲＣＣＨ(ＲＡＴＥ ＨＯＬＤ、ＲＡＴＥ ＩＮＣＲＥＡＳＥ、またはＲＡＴＥ ＤＥＣＲＥＡＳＥ)を伴い得る。
【０１６８】
図１０ないし１２は、本明細書に記載された種々のチャネルのタイミングを示す例を示す。この例は、フレーム長の特定の選択を表わさないが、承認、ＡＣＫ、およびレート制御(rate control, RC)表示の相対的なタイミングを示す。ＡＣＫ表示、ＲＣ表示、および承認は、同じ時間間隔中に現れ、したがって、移動局は、次のパケット伝送を申請するのとほぼ同時に、ＡＣＫ、ＲＣ、および承認情報を受信する。これらの例において、移動局は、（上述の例示的な実施形態に記載されているように）確認応答を受信するとき、または全てのサブパケットが伝送されたときを除いて、ＲＣの表示を監視する必要はない。移動局は、それ、および特定のＡＲＱ系列に対応するＲＣ表示に割り当てられたＡＣＫビットを監視する。例えば、４つのＡＲＱ系列があり、移動局が全てのＡＲＱ系列上で次に伝送しているとき、移動局は、全てのフレームのＡＣＫ表示、および（適宜に）全てのフレームのＲＣ表示を監視する。適宜、基地局または移動局に時間を許すために、種々の伝送間に空のフレームが取り入れられ、要求、サブパケット伝送、承認、確認応答、およびレート制御コマンドを受信し、復号する。
【０１６９】
これらのタイミング図は、網羅的ではく、上述の種々の態様を示す働きをするだけであることに注意すべきである。当業者には、系列の無数の組み合せが分かるであろう。
【０１７０】
図１０は、組み合された確認応答およびレート制御チャネルの例示的な実施形態のタイミングを示す。移動局は、Ｒ−ＲＥＱＣＨ上で伝送の要求を伝送する。次に、基地局は、要求に応答して、Ｆ−ＧＣＨ上で承認を伝送する。その後で、移動局は、承認にしたがうパラメータを使用して、第１のサブパケットを伝送する。サブパケットは、サブパケットの伝送の失敗によって示されるように、基地局で正確に復号されない。基地局は、Ｆ−ＡＣＫＣＨ上のＡＣＫ／ＮＡＫの伝送を、Ｆ−ＲＣＣＨ上のレート制御コマンドと共に伝送する。この例では、ＮＡＫが伝送され、Ｆ−ＲＣＣＨがＤＴＸされる。移動局は、ＮＡＫを受信し、応答して、第２のサブパケットを再送する。この時、基地局は第２のサブパケットを正確に復号し、Ｆ−ＡＣＫＣＨ上のＡＣＫ／ＮＡＫの伝送を、Ｆ−ＲＣＣＨ上のレート制御コマンドと共に再び送る。この例では、追加の承認は伝送されない。ＡＣＫ ＲＣが伝送され、レート制御コマンドが発行される(これは、希望のスケジューリングにしたがって判断されるように、増加、低減、または保持を示し得る)。その後で、移動局は、Ｆ−ＲＣＣＨ上のレート制御コマンドによって必要に応じて修正されるパラメータを使用して、次のパケットの第１のサブパケットを伝送する。
【０１７１】
図１１は、新しい承認を伴う、組み合された確認応答およびレート制御チャネルの例示的な実施形態のタイミングを示す。(正確に復号されなかった)要求、承認、サブパケットの伝送およびＮＡＫは、図１０に関して既に記載された最初の８つのフレームと同じもので伝送される。この例において、第２のサブパケットの伝送も、正確に受信され、復号される。しかしながら、基地局によって送られたＡＣＫ ＲＣの代わりに、ＡＣＫ ＳＴＯＰが伝送される。承認がＡＣＫ ＳＴＯＰを伴わないときは、移動局は自律伝送に戻るであろう。その代わりに、新しい承認が伝送される。移動局は、Ｆ−ＲＣＣＨをこのフレームについて監視する必要はない。その後で、移動局は、新しい承認にしたがって、次のパケットの第１のサブパケットを伝送する。
【０１７２】
図１２は、承認を伴わない、組み合された応答およびレート制御チャネルの例示的な実施形態のためのタイミングを示している。この例は、最初の移動局の要求に応答して、承認が送られないことを除いて、図１０と同じである。したがって、第１のパケットの第１のサブパケットの伝送は、自律レートで伝送される。ここでも、このサブパケットは、基地局において正確に復号されない。ここでも、第２のサブパケットは、正確に復号され、ＡＣＫ ＲＣは、レート制御コマンドと共に伝送される。その後で、移動局は、次のパケットを、潜在的に調節されたレートで送る。この例は、レート制御コマンドのみを任意に使用し、承認なしで、移動局のレートを動かす可能性を示している。
【０１７３】
別の実施形態では、基地局は、前の要求があっても、なくても、自律伝送でレート制御を使用し得ることに注意すべきである。輻輳を緩和するために、低減が使用され、要求が伝送されなかったために、ＢＳがデータ要件を知らなくても、予備の容量があるときは、増加が与えられ得る。
【０１７４】
上述の全ての実施形態では、発明の範囲を逸脱しないならば、方法ステップを交換できることに注意すべきである。本明細書に開示されている記載は、多くの場合に、１ｘＥＶ-ＤＶシステムと関係付けられた信号、パラメータ、および手続きに関連しているが、本発明の範囲は、そのようなものとして制限されていない。当業者は、本発明の原理を、種々の他の通信システムに容易に適用するであろう。これらおよび他の変更は、当技術において普通の技能をもつものには明らかであるだろう。
【０１７５】
当業者には、情報および信号が、種々の異なる科学技術および技術の何れかを使用して表わされ得ることが分かるであろう。例えば、これまでの記述全体で参照され得るデータ、命令、コマンド、情報、信号、ビット、シンボル、およびチップは、電圧、電流、電磁波、磁界または磁性粒子、光学場または光学粒子、あるいはこれらの組み合せによって表され得る。
【０１７６】
当業者は、本明細書に開示されている実施形態に関連して説明されている様々な例示的な論理ブロック、モジュール、回路、およびアルゴリズムのステップは、電子ハードウエア、コンピュータソフトウエア、またはこの両者の組み合せとして実施され得ることを理解するであろう。ハードウエアおよびソフトウエアのこの互換性を明確に説明するために、種々の例示的なコンポーネント、ブロック、モジュール、回路、およびステップが、これらの機能性に関して、全体的に上述されている。このような機能性がハードウエアまたはソフトウエアのいずれで実行されるかは、システム全体に課される設計の制約および具体的な用途に依存する。熟練工は、特定の用途ごとに様々なやり方で上記の機能性を実施し得るが、このような実施上の決定は、本発明の範囲からの逸脱を招くものとして解釈されるべきではない。
【０１７７】
本明細書に開示されている実施形態に関連して説明されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理デバイス、ディスクリートゲートまたはトランジスタロジック、離散ハードウエアコンポーネント、あるいは本明細書に説明されている機能を実行するように設計されているこれらの組み合せで実現または実行可能である。汎用プロセッサは、マイクロプロセッサであってもよいが、代替例においては、プロセッサは任意の従来のプロセッサ、制御装置、マイクロ制御装置、または状態機械であってもよい。プロセッサは、計算機の組み合せとして、例えば、ＤＳＰとマイクロプロセッサの組み合せ、複数のマイクロプロセッサ、ＤＳＰコアと関連した１つ以上のマイクロプロセッサ、または任意の他のこのような構成としても実施され得る。
【０１７８】
本明細書に開示されている実施形態に関連して説明されている方法またはアルゴリズムのステップは、ハードウエアにおいて、プロセッサによって実行されるソフトウエアモジュールにおいて、またはこの２つの組み合せにおいて直接に具現化され得る。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術において公知の任意の他の形態の記憶媒体に常駐してもよい。例示的な記憶媒体は、プロセッサがこの記憶媒体から情報を読み取り、かつ情報を書き込むことができるようにプロセッサに結合される。代替例において、記憶媒体は、プロセッサと一体であってもよい。プロセッサおよび記憶媒体はＡＳＩＣに常駐し得る。ＡＳＩＣは、ユーザ端末に常駐してもよい。代替例において、プロセッサおよび記憶媒体は、ユーザ端末に別個のコンポーネントとして常駐し得る。
【０１７９】
開示されている実施形態の上記説明は、当業者が本発明を構成または使用することを可能にすべく提供されている。これらの実施形態の種々の変形は当業者には容易に明らかであり、本明細書に定義されている一般的な原理は、本発明の主旨および範囲から逸脱することなく他の実施形態に適用され得る。したがって、本発明は本明細書に示されている実施形態に制限されることを意図されるものではなく、本明細書に開示されている原理および新規な特徴と合致する最大の範囲に一致すべきものである。
以下に、出願当初の特許請求の範囲に記載された発明を付記する。
［Ｃ１］
確認応答表示およびレート制御表示を含む第１のメッセージを生成するメッセージ生成器と、
レート制御表示について条件を付けられた第２のメッセージを生成するレート制御表示とを含む装置。
［Ｃ２］
第２のメッセージが、レート制御コマンドを含むＣ１記載の装置。
［Ｃ３］
レート制御コマンドが、複数の値の１つであり、複数の値の１つ以上が、レート増加を示すＣ２記載の装置。
［Ｃ４］
レート制御コマンドが、複数の値の１つであり、複数の値の１つ以上が、レート低減を示すＣ２記載の装置。
［Ｃ５］
レート制御コマンドが、複数の値の１つであり、複数の値の１つ以上が、レート保持を示すＣ２記載の装置。
［Ｃ６］
パケットを受信する受信機と、
受信されたパケットを復号する復号器と、
メッセージ生成器であって、
第１の複数の値の１つを含む第１の信号を生成し、各値が、確認応答（acknowledgement, ACK）または否定の確認応答（negative acknowledgement, NAK）と関係付けられ、値の１つ以上が、レート制御コマンドを示し、
第１の信号の値が、レート制御コマンドを示すとき、各複数のレート制御コマンドに対応して、第２の複数の値の１つを含む第２の信号を条件付きで生成するメッセージ生成器とを含む装置。
［Ｃ７］
第１の信号を伝送し、第２の信号を条件付きで伝送する送信機をさらに含むＣ６記載の装置。
［Ｃ８］
受信機が１つ以上の伝送要求および１つ以上の自律伝送を受信するようにも動作可能である装置であって、１つ以上の伝送要求および１つ以上の自律伝送に応答して、共有資源を割り振るスケジューラをさらに含むＣ６記載の装置。
［Ｃ９］
メッセージ生成器が、伝送要求に応答して、割り振りにしたがって承認メッセージも生成するＣ８記載の装置。
［Ｃ１０］
第１の信号を受信し、レート制御表示にしたがって第２の信号を条件付きで受信する受信機と、
受信された第１の信号からレート制御表示を復号するメッセージ復号器とを含む装置。
［Ｃ１１］
第１の信号が、確認応答を含むＣ１０記載の装置。
［Ｃ１２］
第２の信号が、レート制御コマンドを含むＣ１０記載の装置。
［Ｃ１３］
レート制御コマンドが、複数の値の１つであり、複数の値の１つ以上が、レート増加を示すＣ１２記載の装置。
［Ｃ１４］
レート制御コマンドが、複数の値の１つであり、複数の値の１つ以上が、レート低減を示すＣ１２記載の装置。
［Ｃ１５］
レート制御コマンドが、複数の値の１つであり、複数の値の１つ以上が、レート保持を示すＣ１２記載の装置。
［Ｃ１６］
パケットを伝送する送信機をさらに含むＣ１０記載の装置。
［Ｃ１７］
第１の信号が、伝送されたパケットが確認応答されていないことを示すとき、送信機がパケットを再送するＣ１６記載の装置。
［Ｃ１８］
第２の信号が、レート制御コマンドを含み、送信機が、レート制御コマンドにしたがって判断されたレートで第２のパケットを伝送するＣ１６記載の装置。
［Ｃ１９］
確認応答表示およびレート制御表示を含む第１のメッセージを生成するメッセージ生成器と、
レート制御表示について条件を付けられた第２のメッセージを生成するレート制御表示とを含む基地局。
［Ｃ２０］
第１の信号を受信し、レート制御表示にしたがって第２の信号を条件付きで受信する受信機と、
受信された第１の信号からレート制御表示を復号するメッセージ復号器とを含む遠隔局。
［Ｃ２１］
確認応答表示およびレート制御表示を含む第１のメッセージを生成するメッセージ生成器と、
レート制御表示について条件を付けられた第２のメッセージを生成するレート制御表示とを含む無線通信システム。
［Ｃ２２］
第１の信号を受信し、レート制御表示にしたがって第２の信号を条件付きで受信する受信機と、
受信された第１の信号からレート制御表示を復号するメッセージ復号器とを含む無線通信システム。
［Ｃ２３］
第１の複数の値の１つを含む第１の信号を生成し、各値が、確認応答（ＡＣＫ）または否定の確認応答（ＮＡＫ）と関係付けられ、値の１つ以上が、レート制御コマンドを示すことと、
第１の信号の値が、レート制御コマンドを示すとき、各複数のレート制御コマンドに対応して、第２の複数の値の１つを含む第２の信号を条件付きで生成することとを含む方法。
［Ｃ２４］
パケットを受信することと、
パケットを復号することと、
受信されたパケットが正確に復号されたかどうか、およびレート制御コマンドが発行されることになるかどうかを示す第１の信号を生成することと、
レート制御コマンドが発行されるときに、レート制御コマンドを含む第２の信号を生成することとを含むレート制御方法。
［Ｃ２５］
第１の信号が、第１の複数の値の１つを含み、第１の複数の値の１つが、正確な復号の確認応答と、レート制御コマンドがないこととを示すＣ２４記載の方法。
［Ｃ２６］
正確な復号の確認応答と、レート制御コマンドがないこととを示す値が、先の承認を無効にするＣ２５記載の方法。
［Ｃ２７］
第１の信号が、第１の複数の値の１つを含み、第１の複数の値の１つが、正確な復号の確認応答と、レート制御コマンドとを示すＣ２４記載の方法。
［Ｃ２８］
第１の信号が、復号されたパケットの否定の確認応答と、レート制御コマンドがないこととに対応する、伝送がないことを示す値を含むＣ２４記載の方法。
［Ｃ２９］
レート制御コマンドが、第２の複数の値の１つであり、第２の複数の値の１つ以上が、レート増加を示すＣ２４記載の方法。
［Ｃ３０］
レート制御コマンドが、第２の複数の値の１つであり、第２の複数の値の１つ以上が、レート低減を示すＣ２４記載の方法。
［Ｃ３１］
レート制御コマンドが、第２の複数の値の１つであり、第２の複数の値の１つが、レート保持を示すＣ２４記載の方法。
［Ｃ３２］
第２の信号が、レート保持の伝送がないことを示す値を含むＣ３１記載の方法。
［Ｃ３３］
１つ以上の伝送要求を受信することと、
１つ以上の自律伝送を受信することと、
１つ以上の伝送要求および１つ以上の自律伝送に応答して、共有資源を割り振ることとをさらに含むＣ２４記載の方法。
［Ｃ３４］
受信された伝送要求に応答して、承認を生成することをさらに含むＣ２４記載の方法。
［Ｃ３５］
承認が生成されるときに、第２の信号が生成されないＣ３４記載の方法。
［Ｃ３６］
第１の信号を伝送することと、
レート制御コマンドが発行されるときに、第２の信号を条件付きで伝送することとをさらに含むＣ２４記載の方法。
［Ｃ３７］
承認が発行されるときに、承認を伝送することをさらに含むＣ３６記載の方法。
［Ｃ３８］
受信されたパケットが、サブパケットであるＣ２４記載の方法。
［Ｃ３９］
もしあるならば、以前に受信された対応するサブパケットに応答して、復号が行われるＣ３８記載の方法。
［Ｃ４０］
第１の複数の値の１つを含む第１の信号を受信し、各値が、確認応答（ＡＣＫ）または否定の確認応答（ＮＡＫ）と関係付けられ、値の１つ以上が、レート制御コマンドを示すことと、
第１の受信された信号の値が、レート制御コマンドを示すとき、各複数のレート制御コマンドに対応して、第２の複数の値の１つを含む第２の信号を条件付きで受信することとを含むレート制御方法。
［Ｃ４１］
パケットを伝送することと、
伝送されたパケットが確認応答されたかどうか、およびレート制御コマンドが発行されることになるかどうかを示す第１の信号を受信することと、
レート制御コマンドが発行されるときに、レート制御コマンドを含む第２の信号を受信することとを含むレート制御方法。
［Ｃ４２］
第１の信号が、第１の複数の値の１つを含み、第１の複数の値の１つが、正確な復号の確認応答と、レート制御コマンドがないこととを示すＣ４１記載の方法。
［Ｃ４３］
正確な復号の確認応答と、レート制御コマンドがないこととを示す値が、先の承認を無効にするＣ４２記載の方法。
［Ｃ４４］
第１の信号が、第１の複数の値の１つを含み、第１の複数の値の１つが、正確な復号の確認応答と、レート制御コマンドとを示すＣ４１記載の方法。
［Ｃ４５］
第１の信号が、復号されたパケットの否定の確認応答と、レート制御コマンドがないこととに対応する、伝送がないことを示す値を含むＣ４１記載の方法。
［Ｃ４６］
レート制御コマンドが、第２の複数の値の１つであり、第２の複数の値の１つ以上が、レート増加を示すＣ４１記載の方法。
［Ｃ４７］
レート制御コマンドが、第２の複数の値の１つであり、第２の複数の値の１つ以上が、レート低減を示すＣ４１記載の方法。
［Ｃ４８］
レート制御コマンドが、第２の複数の値の１つであり、第２の複数の値の１つが、レート保持を示すＣ４１記載の方法。
［Ｃ４９］
第２の信号が、レート保持の伝送がないことを示す値を含むＣ４８記載の方法。
［Ｃ５０］
第１の受信された信号が、伝送されたパケットが確認応答されなかったことを示すときに、パケットを再送することをさらに含むＣ４１記載の方法。
［Ｃ５１］
第１の受信された信号が、伝送されたパケットが確認応答されたことを示すときに、第２のパケットを伝送することをさらに含むＣ４１記載の方法。
［Ｃ５２］
レート制御コマンドが、第２の信号上で受信されるときに、第２のパケットが、レート制御コマンドにしたがって判断されるレートで伝送されるＣ４１記載の方法。
［Ｃ５３］
伝送されたパケットが、サブパケットであるＣ４１記載の方法。
［Ｃ５４］
第１の複数の値の１つを含む第１の信号を生成する手段であって、各値が、確認応答（ＡＣＫ）または否定の確認応答（ＮＡＫ）と関係付けられ、値の１つ以上が、レート制御コマンドを示す手段と、
第１の信号の値がレート制御コマンドを示すとき、各複数のレート制御コマンドに対応して、第２の複数の値の１つを含む第２の信号を条件付きで生成する手段とを含む装置。
［Ｃ５５］
パケットを受信する手段と、
パケットを復号する手段と、
受信されたパケットが正確に復号されたかどうか、およびレート制御コマンドが発行されることになるかどうかを示す第１の信号を生成する手段と、
レート制御コマンドが発行されるときに、レート制御コマンドを含む第２の信号を生成する手段とを含むレート制御方法。
［Ｃ５６］
第１の複数の値の１つを含む第１の信号を受信する手段であって、各値が、確認応答（ＡＣＫ）または否定の確認応答（ＮＡＫ）と関係付けられ、値の１つ以上が、レート制御コマンドを示す手段と、
第１の受信された信号の値が、レート制御コマンドを示すときに、各複数のレート制御コマンドに対応して、第２の複数の値の１つを含む第２の信号を条件付きで受信する手段とを含むレート制御方法。
［Ｃ５７］
パケットを伝送する手段と、
伝送されたパケットが確認応答されたかどうか、およびレート制御コマンドが発行されることになるかどうかを示す第１の信号を受信する手段と、
レート制御コマンドが発行されるときに、レート制御コマンドを含む第２の信号を受信する手段とを含むレート制御方法。
［Ｃ５８］
第１の複数の値の１つを含む第１の信号を生成する手段であって、各値が、確認応答（ＡＣＫ）または否定の確認応答（ＮＡＫ）と関係付けられ、値の１つ以上が、レート制御コマンドを示す手段と、
第１の信号の値が、レート制御コマンドを示すときに、各複数のレート制御コマンドに対応して、第２の複数の値の１つを含む第２の信号を条件付きで生成する手段とを含む無線通信システム。
［Ｃ５９］
第１の複数の値の１つを含む第１の信号を受信する手段であって、各値が、確認応答（ＡＣＫ）または否定の確認応答（ＮＡＫ）と関係付けられ、値の１つ以上が、レート制御コマンドを示す手段と、
第１の受信された信号の値が、レート制御コマンドを示すときに、各複数のレート制御コマンドに対応して、第２の複数の値の１つを含む第２の信号を条件付きで受信する手段とを含む無線通信システム。
［Ｃ６０］
第１の複数の値の１つを含む第１の信号を生成するステップであって、各値が、確認応答（ＡＣＫ）または否定の確認応答（ＮＡＫ）と関係付けられ、値の１つ以上が、レート制御コマンドを示すステップと、
第１の信号の値が、レート制御コマンドを示すときに、各複数のレート制御コマンドに対応して、第２の複数の値の１つを含む第２の信号を条件付きで生成するステップとを行うように動作可能なコンピュータ読み出し可能媒体。
［Ｃ６１］
パケットを受信するステップと、
パケットを復号するステップと、
受信されたパケットが正確に復号されたかどうか、およびレート制御コマンドが発行されることになるかどうかを示す第１の信号を生成するステップと、
レート制御コマンドが発行されるときに、レート制御コマンドを含む第２の信号を生成するステップとを行うように動作可能なコンピュータ読み出し可能媒体。
［Ｃ６２］
第１の複数の値の１つを含む第１の信号を受信するステップであって、各値が、確認応答（ＡＣＫ）または否定の確認応答（ＮＡＫ）と関係付けられ、値の１つ以上が、レート制御コマンドを示すステップと、
第１の受信された信号の値が、レート制御コマンドを示すときに、各複数のレート制御コマンドに対応して、第２の複数の値の１つを含む第２の信号を条件付きで受信するステップとを行うように動作可能なコンピュータ読み出し可能媒体。
［Ｃ６３］
パケットを伝送するステップと、
伝送されたパケットが確認応答されたかどうか、およびレート制御コマンドが発行されることになるかどうかを示す第１の信号を受信するステップと、
レート制御コマンドが発行されるときに、レート制御コマンドを含む第２の信号を受信するステップとを行うように動作可能なコンピュータ読み出し可能媒体。
【符号の説明】
【０１８０】
100・・・無線通信システム、700,750,900・・・方法。
【図１】
0005612160.tif 000003
【図２】
0005612160.tif 000004
【図３】
0005612160.tif 000005
【図４】
0005612160.tif 000006
【図５】
0005612160.tif 000007
【図６】
0005612160.tif 000008
【図７】
0005612160.tif 000009
【図８】
0005612160.tif 000010
【図９】
0005612160.tif 000011
【図１０】
0005612160.tif 000012
【図１１】
0005612160.tif 000013
【図１２】
0005612160.tif 000014